(57)【要約】【課題】操作性を向上させることができるようにする。【解決手段】本発明に係る情報処理装置に適用可能な携帯電話機においては、ステップＳ１１乃至Ｓ４４で、液晶ディスプレイは、ショートカット機能よりも優先度が高い未確認情報を指示する第１の指示情報、ショートカット機能を指示する第２の指示情報、およびショートカット機能よりも優先度が低い未確認情報を指示する第３の指示情報を表示し、主制御部は、第１のキーが押下されたか否かを判定し、ショートカット機能よりも優先度が高く予め設定された未確認情報の優先度をショートカット機能よりも低く設定し、記憶部は、設定された優先度に従って、予め記憶されている未確認情報の報知を管理する情報である未確認情報報知管理情報を更新し、液晶ディスプレイは更新された未確認情報報知管理情報に基づいて第１の指示情報および第３の指示情報の表示を更新する。【選択図】  図６
2008146326.tif 000002
【特許請求の範囲】
【請求項１】
待ち受け画面上において選択されることで予め対応付けられた所定の機能を起動させるショートカット機能よりも優先度が高い未確認着信情報または未確認メール情報を指示する第１の指示情報を前記待ち受け画面上に表示する第１の表示手段と、
前記ショートカット機能を指示する第２の指示情報を前記待ち受け画面上に表示する第２の表示手段と、
前記ショートカット機能よりも優先度が低い未確認着信情報または未確認メール情報を指示する第３の指示情報を前記待ち受け画面上に表示する第３の表示手段とを備えることを特徴とする情報処理装置。
【請求項２】
前記第１の表示手段は、前記第１の指示情報を前記待ち受け画面上の第１の表示領域に表示し、前記第２の表示手段は、前記第２の指示情報を前記待ち受け画面上の第２の表示領域に表示し、前記第３の表示手段は、前記第３の指示情報を前記待ち受け画面上の第３の表示領域に表示することを特徴とする請求項１に記載の情報処理装置。
【請求項３】
待ち受け画面上において選択されることで予め対応付けられた所定の機能を起動させるショートカット機能よりも優先度が高い未確認着信情報または未確認メール情報を指示する第１の指示情報、前記ショートカット機能を指示する第２の指示情報、および前記ショートカット機能よりも優先度が低い未確認着信情報または未確認メール情報を指示する第３の指示情報を待ち受け画面上に表示する表示手段と、
第１のキーが押下されたか否かを判定する第１の判定手段と、
前記ショートカット機能よりも優先度が高く予め設定された未確認着信情報または未確認メール情報の優先度を、前記ショートカット機能よりも低く設定する設定手段と、
前記設定手段により設定された前記優先度に従って、予め記憶されている、未確認着信情報または未確認メール情報の報知を管理する情報である未確認情報報知管理情報を更新する更新手段とを備え、
前記表示手段は、前記更新手段により更新された前記未確認情報報知管理情報に基づいて、前記第１の指示情報および前記第３の指示情報の表示を更新することを特徴とする情報処理装置。
【請求項４】
前記第１の判定手段により前記第１のキーが押下されたと判定された場合、前記表示手段は、前記設定手段により設定された前記優先度に従って更新された、未確認着信情報または未確認メール情報の報知を管理する情報である未確認情報報知管理情報に基づいて、前記第１の指示情報および前記第３の指示情報の表示を更新することを特徴とする請求項３に記載の情報処理装置。
【請求項５】
前記表示手段は、前記第１の指示情報をポップアップ表示することを特徴とする請求項３に記載の情報処理装置。
【請求項６】
第２のキーが押下されたか否かを判定する第２の判定手段をさらに備え、
前記第２の判定手段により前記第２のキーが押下されたと判定された場合、前記表示手段は、前記第１の指示情報のポップアップ表示を消去することを特徴とする請求項５に記載の情報処理装置。
【請求項７】
前記第２の指示情報により指示される前記ショートカット機能に予め対応付けられた所定の起動を制御する制御手段をさらに備えることを特徴とする請求項３に記載の情報処理装置。
【請求項８】
前記情報処理装置の状態を判定する状態判定手段をさらに備え、
前記状態判定手段により前記情報処理装置の状態が所定の状態であると判定された場合、前記設定手段は、前記ショートカット機能よりも優先度が高く予め設定された未確認着信情報または未確認メール情報の優先度を、前記ショートカット機能よりも低く設定し、前記表示手段は、前記設定手段により設定された前記優先度に従って更新された、未確認着信情報または未確認メール情報の報知を管理する情報である未確認情報報知管理情報に基づいて、前記第１の指示情報および前記第３の指示情報の表示を更新することを特徴とする請求項３に記載の情報処理装置。
【請求項９】
未確認着信情報または未確認メール情報の優先度を前記ショートカット機能よりも低く設定するとの指示を受け付ける優先度指示受付手段をさらに備え、
前記優先度指示受付手段により未確認着信情報または未確認メール情報の優先度を前記ショートカット機能よりも低く設定するとの指示が受け付けられた場合、前記設定手段は、未確認着信情報または未確認メール情報を生成する際に、未確認着信情報または未確認メール情報の優先度を予め前記ショートカット機能よりも低く設定することを特徴する請求項３に記載の情報処理装置。
【請求項１０】
確認着信情報または確認メール情報を、未確認着信情報または未確認メール情報に追加するとの指示を受け付ける追加指示受付手段をさらに備え、
前記設定手段は、前記追加指示受付手段により追加をするとの指示が受け付けられた未確認着信情報または未確認メール情報の優先度を予め前記ショートカット機能よりも低く設定することを特徴する請求項３に記載の情報処理装置。
【発明の詳細な説明】
【技術分野】
【０００１】
本発明は情報処理装置に係り、特に、不在時の着信やメールをユーザに報知することができるようにした情報処理装置に関する。
【背景技術】
【０００２】
近年、携帯電話機には、単なる通話による通信機能だけでなく、アドレス帳機能、インターネットなどのネットワークを介したメール機能や、Ｗｅｂページなどを閲覧することが可能なブラウザ機能などの種々の機能が搭載されている。
【０００３】
例えば、不在時に着信があった場合に、不在時の着信を指示するアイコンを待ち受け画面上に表示することで、ユーザに未確認情報（例えば新たな着信など）があることを報知する。ユーザは、待ち受け画面上に表示された不在時の着信を指示するアイコンを操作キーを用いて操作することにより、その未確認情報を容易に確認することができる。ユーザによりこの未確認情報が確認された後、待ち受け画面上に表示された不在時の着信を指示するアイコンは消去される。
【０００４】
また、不在時にユーザにより応答操作がされなくとも着信があったことを知らせることができる技術が提案されている（特許文献１参照）。
【０００５】
特許文献１に提案されている技術によれば、着信に対して何らかの応答がなされないままで相手がその電話を切断したとき、その着信があった時刻をあるいは時間帯などの着信に基づく時刻情報を記憶するようにしたので、ユーザは、不在時にあった着信の時刻を知ることができる。
【０００６】
一方、近年、携帯電話機においては、ユーザが頻繁に使用する機能をショートカットとして設定することができ、待ち受け画面上にショートカットに設定された機能を指示するアイコンを表示することができる。これにより、ユーザは、待ち受け画面上に表示されたショートカットに設定された機能を指示するアイコンを操作キーを用いて操作することにより、ショートカットに設定された機能を容易に起動することができる。
【特許文献１】特開平８−２９８５４１号公報
【発明の開示】
【発明が解決しようとする課題】
【０００７】
しかしながら、従来の技術では、不在時の着信などの未確認情報をユーザに報知する場合と、ユーザが頻繁に使用する機能をショートカットとして設定した場合のいずれの場合においても、ユーザに操作させるために、待ち受け画面上に何らかのアイコン（不在時の着信を指示するアイコン、あるいは、ショートカットに設定された機能を指示するアイコン）を表示しなければならない。そのため、これら２つの操作に関して操作上の競合が発生したときには、いずれか１つの操作を優先するようにしなければならず、その結果、優先されなかった他方の操作に関して、ユーザにとって操作しづらくなってしまう課題があった。
【０００８】
勿論、不在時の着信などの未確認情報をユーザに報知する場合における操作を優先させた場合、ユーザにより未確認情報が確認された後、待ち受け画面上に表示された不在時の着信を指示するアイコンが消去されることで、これら２つの操作上の競合は解消されるが、ユーザのその時の気分に応じて、ユーザが未確認情報を後日確認するつもりで意図的に待ち受け画面上に残しておき、その後、優先的に、待ち受け画面上に表示されたショートカットに設定された機能を指示するアイコンを操作するということは依然として行うことはできない。
【０００９】
本発明は、このような状況に鑑みてなされたものであり、操作性を向上させることができる情報処理装置を提供することを目的とする。
【課題を解決するための手段】
【００１０】
本発明の情報処理装置は、上述した課題を解決するために、待ち受け画面上において選択されることで予め対応付けられた所定の機能を起動させるショートカット機能よりも優先度が高い未確認着信情報または未確認メール情報を指示する第１の指示情報を待ち受け画面上に表示する第１の表示手段と、ショートカット機能を指示する第２の指示情報を待ち受け画面上に表示する第２の表示手段と、ショートカット機能よりも優先度が低い未確認着信情報または未確認メール情報を指示する第３の指示情報を待ち受け画面上に表示する第３の表示手段とを備えることを特徴とする。
【００１１】
本発明の情報処理装置は、上述した課題を解決するために、待ち受け画面上において選択されることで予め対応付けられた所定の機能を起動させるショートカット機能よりも優先度が高い未確認着信情報または未確認メール情報を指示する第１の指示情報、ショートカット機能を指示する第２の指示情報、およびショートカット機能よりも優先度が低い未確認着信情報または未確認メール情報を指示する第３の指示情報を待ち受け画面上に表示する表示手段と、第１のキーが押下されたか否かを判定する第１の判定手段と、ショートカット機能よりも優先度が高く予め設定された未確認着信情報または未確認メール情報の優先度を、ショートカット機能よりも低く設定する設定手段と、設定手段により設定された優先度に従って、予め記憶されている、未確認着信情報または未確認メール情報の報知を管理する情報である未確認情報報知管理情報を更新する更新手段とを備え、表示手段は、更新手段により更新された未確認情報報知管理情報に基づいて、第１の指示情報および第３の指示情報の表示を更新することを特徴とする。
【００１２】
本発明の情報処理装置においては、待ち受け画面上において選択されることで予め対応付けられた所定の機能を起動させるショートカット機能よりも優先度が高い未確認着信情報または未確認メール情報を指示する第１の指示情報が待ち受け画面上に表示され、ショートカット機能を指示する第２の指示情報が待ち受け画面上に表示され、ショートカット機能よりも優先度が低い未確認着信情報または未確認メール情報を指示する第３の指示情報が待ち受け画面上に表示される。
【００１３】
本発明の情報処理装置においては、待ち受け画面上において選択されることで予め対応付けられた所定の機能を起動させるショートカット機能よりも優先度が高い未確認着信情報または未確認メール情報を指示する第１の指示情報、ショートカット機能を指示する第２の指示情報、およびショートカット機能よりも優先度が低い未確認着信情報または未確認メール情報を指示する第３の指示情報が待ち受け画面上に表示され、第１のキーが押下されたか否かが判定され、ショートカット機能よりも優先度が高く予め設定された未確認着信情報または未確認メール情報の優先度が、ショートカット機能よりも低く設定され、設定された優先度に従って、予め記憶されている、未確認着信情報または未確認メール情報の報知を管理する情報である未確認情報報知管理情報が更新され、更新された未確認情報報知管理情報に基づいて、第１の指示情報および第３の指示情報の表示が更新される。
【発明の効果】
【００１４】
本発明によれば、操作性を向上させることができる。
【発明を実施するための最良の形態】
【００１５】
以下、本発明の実施の形態について、図面を参照しながら説明する。
【００１６】
図１は、本発明に係る情報処理装置として適用可能な携帯電話機１の外観の構成を表している。なお、図１［Ａ］は、携帯電話機１を約１８０度に見開いたときの正面から見た外観の構成を表しており、図１［Ｂ］は、携帯電話機１を見開いたときの側面から見た外観の構成を表している。
【００１７】
図１［Ａ］および［Ｂ］に示されるように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ４４）が設けられており、内蔵されたアンテナを介して基地局（図示せず）との間で電波を送受信する。
【００１８】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００１９】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられた液晶ディスプレイ１７に表示されている電話帳リストや電子メールのスクロール動作、簡易ホームページのページ捲り動作および画像の送り動作などの種々の動作を実行する。
【００２０】
また、確定キーを押下することにより、種々の機能を確定することができる。例えば第１の筐体１２は、ユーザによる十字キーの操作に応じて液晶ディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００２１】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。なお、十字キーと確定キーの左右隣に設けられた電子メールキーおよびブラウザキーは、液晶ディスプレイ１７に表示される画面により例えば「Yes」や「No」などの種々の機能をもつことが可能であるため、それぞれ、soft１キーおよびsoft２キーと呼ばれる。
【００２２】
また、第１の筐体１２には、操作キー１４の下部にマイクロフォン１５が設けられており、マイクロフォン１５によって通話時のユーザの音声を集音する。また、第１の筐体１２には、携帯電話機１の操作を行うサイドキー１６が設けられている。
【００２３】
なお、第１の筐体１２は、背面側に図示しないバッテリパックが挿着されており、終話・電源キーがオン状態になると、バッテリパックから各回路部に対して電力が供給されて動作可能な状態に起動する。
【００２４】
一方、第２の筐体１３には、その正面に液晶ディスプレイ１７（メインディスプレイ）が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図２のＣＣＤカメラ２０）で撮像した画像、外部のコンテンツサーバ（図示せず）より受信したコンテンツ、メモリカード（後述する図３のメモリカード４６）に記憶されているコンテンツを表示することができる。
【００２５】
また、液晶ディスプレイ１７の上部の所定の位置にはスピーカ１８が設けられており、これにより、ユーザは音声通話することが可能である。
【００２６】
さらに、第１の筐体１２と第２の筐体１３の内部の所定の位置には、携帯電話機１の状態を検知するための磁気センサ１９a、１９b、１９c、および１９dが設けられる。
【００２７】
図２は、本発明に係る情報処理装置として適用可能な携帯電話機１の他の外観の構成を表している。図２の携帯電話機１の状態は、図１の携帯電話機１の状態から矢印Ｘ方向に回動させた状態である。なお、図２［Ａ］は、携帯電話機１を閉じたときの正面から見た外観の構成を表しており、図２［Ｂ］は、携帯電話機１を閉じたときの側面から見た外観の構成を表している。
【００２８】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、携帯電話機１の現在の電池残量を示す電池ピクト、現在の時刻などが表示される。
【００２９】
サブディスプレイ２１の下部には、さらに、静電タッチパッド２２が設けられる。静電タッチパッド２２は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００３０】
図３は、本発明に係る情報処理装置として適用可能な携帯電話機１の内部の構成を表している。
【００３１】
図３に示されるように、携帯電話機１は、第１の筐体１２及び第２の筐体１３の各部を統括的に制御する主制御部３１に対して、電源回路部３２、操作入力制御部３３、画像エンコーダ３４、カメラインタフェース部３５、ＬＣＤ（Liquid Crystal Display）制御部３６、多重分離部３８、変復調回路部３９、音声コーデック４０、記憶部４７、および音楽制御部４８がメインバス４１を介して互いに接続されるとともに、画像エンコーダ３４、画像デコーダ３７、多重分離部３８、変復調回路部３９、音声コーデック４０、および記録再生部４５が同期バス４２を介して互いに接続されて構成される。
【００３２】
電源回路部３２は、ユーザの操作により終話・電源キーがオン状態にされると、バッテリパックから各部に対して電力を供給することにより携帯電話機１を動作可能な状態に起動する。
【００３３】
主制御部３１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４７からＲＡＭにロードされた各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。
【００３４】
なお、主制御部３１には、現在の日付と時刻を正確に計測するタイマが内蔵されている。
【００３５】
携帯電話機１は、主制御部３１の制御に基づいて、音声通話モード時にマイクロフォン１５で集音した音声信号を音声コーデック４０によってディジタル音声信号に変換、圧縮し、これを変復調回路部３９でスペクトラム拡散処理し、送受信回路部４３でディジタルアナログ変換処理及び周波数変換処理を施した後にアンテナ４４を介して送信する。
【００３６】
また、携帯電話機１は、音声通話モード時にアンテナ４４で受信した受信信号を増幅して周波数変換処理及びアナログディジタル変換処理を施し、変復調回路部３９でスペクトラム逆拡散処理し、音声コーデック４０によって伸張し、アナログ音声信号に変換した後、変換されたアナログ音声信号をスピーカ１８を介して出力する。
【００３７】
さらに、携帯電話機１は、データ通信モード時に電子メールを送信する場合、操作キー１４の操作によって入力された電子メールのテキストデータを操作入力制御部３３を介して主制御部３１に送出する。主制御部３１は、テキストデータを変復調回路部３９でスペクトラム拡散処理し、送受信回路部４３でディジタルアナログ変換処理及び周波数変換処理を施した後にアンテナ４４を介して基地局（図示せず）へ送信する。
【００３８】
これに対して携帯電話機１は、データ通信モード時に電子メールを受信する場合、アンテナ４４を介して基地局（図示せず）から受信した受信信号を変復調回路部３９でスペクトラム逆拡散処理して元のテキストデータを復元した後、ＬＣＤ制御部３６を介して液晶ディスプレイ１７に電子メールとして表示する。
【００３９】
その後携帯電話機１は、ユーザの操作に応じて受信した電子メールを記録再生部４５を介してメモリカード４６に記録することも可能である。
【００４０】
携帯電話機１は、画像信号を送信しない場合には、ＣＣＤカメラ２０で撮像した画像信号をカメラインタフェース部４５及びＬＣＤ制御部４６を介して液晶ディスプレイ１７に直接表示する。
【００４１】
携帯電話機１は、データ通信モード時に画像信号を送信する場合、ＣＣＤカメラ２０で撮像された画像信号をカメラインタフェース部３５を介して画像エンコーダ３４に供給する。
【００４２】
画像エンコーダ３４は、ＣＣＤカメラ２０から供給された画像信号を、例えばＭＰＥＧ（Moving Picture Experts Group）４などの所定の符号化方式によって圧縮符号化することにより符号化画像信号に変換し、変換された符号化画像信号を多重分離部３８に送出する。このとき同時に携帯電話機１は、ＣＣＤカメラ２０で撮像中にマイクロフォン１５で集音した音声を音声コーデック４０を介してディジタルの音声信号として多重分離部３８に送出する。
【００４３】
多重分離部３８は、画像エンコーダ３４から供給された符号化画像信号と音声コーデック４０から供給された音声信号とを所定の方式で多重化し、その結果得られる多重化信号を変復調回路部３９でスペクトラム拡散処理し、送受信回路部４３でディジタルアナログ変換処理及び周波数変換処理を施した後にアンテナ４４を介して送信する。
【００４４】
これに対して、携帯電話機１では、データ通信モード時に、Ｗｅｂページのデータを受信することができる。
【００４５】
すなわち、携帯電話機１において、データ通信モードに、例えばＷｅｂページを要求するデータを送信すると、その要求に応じて、Ｗｅｂページのデータが基地局（図示せず）を介して送信される。このＷｅｂページのデータは、アンテナ４４を介して送受信回路部４３および変復調回路部３９で受信される。送受信回路部４３および変復調回路部３９は、受信したＷｅｂページのデータを主制御部３１に送出する。
【００４６】
主制御部３１は、Ｗｅｂページのデータを解釈し、その解釈に基づく画面（画像）を作成する。作成された画面は、主制御部３１からＬＣＤ制御部３６を介して液晶ディスプレイ１７に供給されて表示される。すなわち、主制御部３１のＲＯＭまたは記憶部４７には、少なくともＷｅｂブラウザのアプリケーションプログラムがインストールされており、主制御部３１のＣＰＵは、ＲＡＭ上でＷｅｂブラウザのアプリケーションプログラムを実行することで、Ｗｅｂブラウザとして機能し、Ｗｅｂページのデータの解釈などを行う。
【００４７】
また、携帯電話機１は、データ通信モード時に例えばＷｅｂページなどにリンクされた動画像ファイルのデータを受信する場合、アンテナ４４を介して基地局（図示せず）から受信した受信信号を変復調回路部３９でスペクトラム逆拡散処理し、その結果得られる多重化信号を多重分離部３８に送出する。
【００４８】
多重分離部３８は、多重化信号を分離することにより符号化画像信号と音声信号とに分け、同期バス４２を介して符号化画像信号を画像デコーダ３７に供給すると共に音声信号を音声コーデック４０に供給する。画像デコーダ３７は、符号化画像信号をＭＰＥＧ４などの所定の符号化方式に対応した復号化方式でデコードすることにより再生動画像信号を生成し、生成された再生動画像信号をＬＣＤ制御部３６を介して液晶ディスプレイ１７に供給する。これにより、例えば、Ｗｅｂページなどにリンクされた動画像ファイルに含まれる動画像データが表示される。
【００４９】
このとき同時に音声コーデック４０は、音声信号をアナログ音声信号に変換した後、これをスピーカ１８に供給し、これにより、例えば、Ｗｅｂページなどにリンクされた動画像ファイルに含まる音声信号が再生される。この場合も電子メールの場合と同様に携帯電話機１は、受信したＷｅｂページなどにリンクされたデータをユーザの操作により記録再生部４５を介してメモリカード４６に記録することが可能である。
【００５０】
記憶部４７は、例えば、電気的に書換えや消去が可能な不揮発性メモリであるフラッシュメモリ素子やＨＤＤ（Hard Disc Drive）などからなり、主制御部３１のＣＰＵにより実行される種々のアプリケーションプログラムや種々のデータ群を格納している。また、記憶部４７は、必要に応じて、ユーザの操作に応じて受信した電子メールや、受信したＷｅｂページなどにリンクされた動画像ファイルに含まれる動画像データなどを記憶する。
【００５１】
また、記憶部４７は、例えばユーザの不在時に着信があった場合に着信に対して通話が行われず、その着信が切断された場合に、その着信に関する情報を未確認情報（ユーザによりまだ確認されていない情報）として逐次記憶する。さらに、記憶部４７は、例えば新たなメールの受信動作が完了した際に、ユーザによりそのメール内容の表示が指示されなかった場合に、そのメールに関する情報を未確認情報として逐次記憶する。また、記憶部４７は、これらの未確認情報の報知を管理するための情報である未確認情報報知管理情報を記憶しており、これらの未確認情報に関しては、記憶部４７に記憶されている未確認情報報知管理情報において一括して管理されている。なお、この未確認情報報知管理情報は、適宜、更新される。
【００５２】
音楽制御部４８は、記憶部４７に記憶されているオーディオデータの再生動作および一時停止動作や、巻戻し機能、早送り機能、音量ダウン動作、音量アップ動作などの実行を制御する。
【００５３】
次に、図４のフローチャートを参照して、図３の携帯電話機１における未確認情報報知管理情報更新処理について説明する。この未確認情報報知管理情報更新処理は、例えばユーザの不在時に着信があった場合に着信に対して通話が行われずに、その着信が切断された場合や、新たなメールの受信動作が完了した際に、ユーザによりそのメール内容の表示が指示されなかった場合などに、開始される。
【００５４】
ステップＳ１において、主制御部３１は、例えば基地局（図示せず）を介してユーザの不在時に着信があった場合に着信に対して通話が行われずに、その着信が切断された場合や、新たなメールの受信動作が基地局（図示せず）を介して完了した際にユーザによりそのメール内容の表示が指示されなかった場合などに、その着信に関する情報（未確認着信情報）やメールに関する情報（未確認メール情報）を新たな未確認情報（ユーザによってまだ確認されていない情報）として生成する。
【００５５】
この未確認情報には、例えば着信に関する情報である場合、着信があった日時に関する情報や着信の相手に関する情報（例えば、相手の名前や、相手の所有する他の携帯電話機１の電話番号など）などが含まれており、例えば新たなメールに関する情報である場合、新たなメールを受信した日時に関する情報やメールの相手に関する情報（例えば、相手の名前、相手の所有する他の携帯電話機１に割り当てられたメールアドレスなど）が含まれている。
【００５６】
ステップＳ２において、主制御部３１は、生成された新たな未確認情報を記憶部４７に記憶させる。記憶部４７は、主制御部３１の制御に従い、生成された新たな未確認情報を記憶する。
【００５７】
ステップＳ３において、主制御部３１は、生成された新たな未確認情報の優先度を、予め設定されたショートカット機能よりも高く設定する。
【００５８】
ステップＳ４において、主制御部３１は、記憶部４７に記憶されている未確認情報報知管理情報（未確認情報の報知を管理するための情報）を読み出す。
【００５９】
図５［Ａ］は、記憶部４７に記憶されている未確認情報報知管理情報のデータ構成を表している。
【００６０】
図５［Ａ］の未確認情報報知管理情報の第１列目乃至第３列目には、「未確認情報の種別」、「ショートカット機能よりも優先度が高い件数」、および「ショートカット機能よりも優先度が低い件数」が記述されており、それぞれ、記憶部４７に記憶されている未確認情報の種別（例えば不在時の着信、新着のメール、メッセージセンタ（図示せず）に記録されている伝言など）、記憶部４７に記憶されている未確認情報のうち、ショートカット機能よりも優先度が高く設定されている件数、および、記憶部４７に記憶されている未確認情報のうち、ショートカット機能よりも優先度が低く設定されている件数を示している。
【００６１】
図５［Ａ］の未確認情報報知管理情報の場合、第１行目において、未確認情報の種別が「不在着信」である未確認情報のうち、ショートカット機能よりも優先度が高い件数が「９」件であり、ショートカット機能よりも優先度が低い件数が「０」件であることを示している。第２行目において、未確認情報の種別が「新着メール」である未確認情報のうち、ショートカット機能よりも優先度が高い件数が「５」件であり、ショートカット機能よりも優先度が低い件数が「０」件であることを示している。第３行目において、未確認情報の種別が「伝言」である未確認情報のうち、ショートカット機能よりも優先度が高い件数が「３」件であり、ショートカット機能よりも優先度が低い件数が「０」件であることを示している。
【００６２】
ステップＳ５において、主制御部３１は、設定された未確認情報の優先度（すなわち、ショートカット機能よりも高く設定された優先度）に基づいて、未確認情報報知管理情報を更新する。
【００６３】
例えば基地局（図示せず）を介してユーザの不在時に着信があった場合に着信に対して通話が行われず、その着信が切断された場合、図５［Ａ］に示される未確認情報報知管理情報は図５［Ｂ］に示される未確認情報報知管理情報に更新され、第１行目において、ショートカット機能よりも優先度が高い件数が「９」から「１０」に更新される。
【００６４】
その後、処理はステップＳ１に戻り、ステップＳ１以降の処理が繰り返し実行される。これにより、例えば基地局（図示せず）を介してユーザの不在時に着信があった場合に着信に対して通話が行われず、その着信が切断された場合や、新たなメールの受信動作が基地局（図示せず）を介して完了した際にユーザによりそのメール内容の表示が指示されなかった場合などに、新たな未確認情報が生成され、生成された未確認情報の優先度がショートカット機能よりも高く設定されるとともに、記憶部４７に記憶されている未確認情報報知管理情報が更新される。
【００６５】
次に、図６のフローチャートを参照して、図３の携帯電話機１における表示制御処理について説明する。この表示制御処理は、ユーザにより携帯電話機１が操作されることにより、例えば携帯電話機１が閉じられた状態から開けられた状態になされたり、あるいは、携帯電話機１が開けられた状態で所定の時間（例えば１分間など）経過して、液晶ディスプレイ１７のライトが消灯されスタンバイの状態に遷移した後、ユーザにより携帯電話機１に設けられた操作キー１４が操作されることにより、液晶ディスプレイ１７のライトが点灯されたときなどに、開始される。
【００６６】
ステップＳ１１において、主制御部３１は、ＬＣＤ制御部３６を制御し、ユーザにより予め設定された待ち受け画面（ユーザにより予め設定されていない場合には、デフォルトの待ち受け画面）を液晶ディスプレイ１７に表示させる。液晶ディスプレイ１７は、ＬＣＤ制御部３６を制御し、ユーザにより予め設定された待ち受け画面を表示する。
【００６７】
ステップＳ１２において、主制御部３１は、記憶部４７に記憶されている未確認情報報知管理情報を読み出す。
【００６８】
例えば図５［Ｂ］乃至［Ｅ］に示されるようないずれかの未確認情報報知管理情報が記憶部４７に記憶されている場合、図５［Ｂ］乃至［Ｅ］に示されるようないずれかの未確認情報報知管理情報が読み出される。
【００６９】
例えば図５［Ｂ］の未確認情報報知管理情報の場合、第１行目において、未確認情報の種別が「不在着信」である未確認情報のうち、ショートカット機能よりも優先度が高い件数が「１０」件であり、ショートカット機能よりも優先度が低い件数が「０」件であることを示している。第２行目において、未確認情報の種別が「新着メール」である未確認情報のうち、ショートカット機能よりも優先度が高い件数が「５」件であり、ショートカット機能よりも優先度が低い件数が「０」件であることを示している。第３行目において、未確認情報の種別が「伝言」である未確認情報のうち、ショートカット機能よりも優先度が高い件数が「３」件であり、ショートカット機能よりも優先度が低い件数が「０」件であることを示している。
【００７０】
図５［Ｃ］の未確認情報報知管理情報の場合、第１行目において、未確認情報の種別が「不在着信」である未確認情報のうち、ショートカット機能よりも優先度が高い件数が「０」件であり、ショートカット機能よりも優先度が低い件数が「１０」件であることを示している。第２行目において、未確認情報の種別が「新着メール」である未確認情報のうち、ショートカット機能よりも優先度が高い件数が「０」件であり、ショートカット機能よりも優先度が低い件数が「５」件であることを示している。第３行目において、未確認情報の種別が「伝言」である未確認情報のうち、ショートカット機能よりも優先度が高い件数が「０」件であり、ショートカット機能よりも優先度が低い件数が「３」件であることを示している。
【００７１】
図５［Ｄ］の未確認情報報知管理情報の場合、第１行目において、未確認情報の種別が「不在着信」である未確認情報のうち、ショートカット機能よりも優先度が高い件数が「５」件であり、ショートカット機能よりも優先度が低い件数が「５」件であることを示している。第２行目において、未確認情報の種別が「新着メール」である未確認情報のうち、ショートカット機能よりも優先度が高い件数が「０」件であり、ショートカット機能よりも優先度が低い件数が「５」件であることを示している。第３行目において、未確認情報の種別が「伝言」である未確認情報のうち、ショートカット機能よりも優先度が高い件数が「２」件であり、ショートカット機能よりも優先度が低い件数が「１」件であることを示している。
【００７２】
図５［Ｅ］の未確認情報報知管理情報の場合、第１行目において、未確認情報の種別が「不在着信」である未確認情報のうち、ショートカット機能よりも優先度が高い件数が「２」件であり、ショートカット機能よりも優先度が低い件数が「０」件であることを示している。第２行目において、未確認情報の種別が「新着メール」である未確認情報のうち、ショートカット機能よりも優先度が高い件数が「０」件であり、ショートカット機能よりも優先度が低い件数が「２」件であることを示している。第３行目において、未確認情報の種別が「伝言」である未確認情報のうち、ショートカット機能よりも優先度が高い件数が「０」件であり、ショートカット機能よりも優先度が低い件数が「０」件であることを示している。
【００７３】
なお、図５［Ｃ］乃至［Ｅ］に示される未確認情報報知管理情報においては、「不在着信」や「新着メール」などの未確認情報のうち、ショートカット機能よりも優先度が低い未確認情報が存在しているが、これは、ショートカット機能よりも優先度が高く設定された未確認情報の優先度が、図６のフローチャートを用いて説明する表示制御処理がすでに実行されたことにより、ショートカット機能よりも低く設定されたことを示している。
【００７４】
また、以下においては、説明を簡略化するために、例えば図５［Ｅ］に示される未確認情報報知管理情報を用いて実行される表示制御処理について説明する。
【００７５】
ステップＳ１３において、主制御部３１は、読み出された未確認情報報知管理情報に基づいて、ショートカットよりも優先度が高い未確認情報があるか否かを判定する。
【００７６】
例えば図５［Ｅ］の場合、ショートカット機能よりも優先度が高い未確認情報として、「不在着信」が「２」件存在することから、ショートカット機能よりも優先度が高い未確認情報があると判定される。
【００７７】
ステップＳ１３においてショートカット機能よりも優先度が高い未確認情報があると判定された場合、主制御部３１はステップＳ１４で、ＬＣＤ制御部３６を制御し、液晶ディスプレイに、ショートカット機能よりも優先度が高い未確認情報を指示するアイコンを液晶ディスプレイ１７上の高優先度未確認情報表示領域に表示させる。液晶ディスプレイ１７は、ＬＣＤ制御部３６の制御に従い、ショートカット機能よりも優先度が高い未確認情報を指示するアイコンを液晶ディスプレイ１７上の高優先度未確認情報表示領域に表示する。
【００７８】
例えば図７［Ａ］に示されるように、液晶ディスプレイ１７に表示される表示画面５１−ａの高優先度未確認情報表示領域αに、ショートカット機能よりも優先度が高い未確認情報を指示するアイコン５２−１および５２−２が表示される。これは、現在、ショートカット機能よりも優先度が高い未確認情報が２つあることを示している。従って、ユーザは、高優先度未確認情報表示領域αに表示されるアイコン５２−１および５２−２を見ることで、ショートカット機能よりも優先度が高い未確認情報が２つあることを知ることができる。
【００７９】
なお、ショートカット機能よりも優先度が高い未確認情報が複数存在し、高優先度未確認情報表示領域αに一度に表示することができないような場合には、直近に記憶された未確認情報をまず表示して、ユーザにより操作キー１４が操作されることにより順次液晶ディスプレイ１７に対して左右方向にスライドさせて表示するようにしてもよい。これにより、たとえ高優先度未確認情報表示領域αに一度に表示することができない数の未確認情報が存在したとしても、順次、ユーザに報知することができる。以下に説明する待ち受け画面（表示画面）上のショートカット機能表示領域や低優先度未確認情報表示領域についても同様である。
【００８０】
一方、ステップＳ１３においてショートカット機能よりも優先度が高い未確認情報はないと判定された場合、ステップＳ１４の表示処理はスキップされる。
【００８１】
これにより、例えば図７［Ｂ］に示されるように、液晶ディスプレイ１７に表示される表示画面５１−ｃの高優先度未確認情報表示領域αには、ショートカット機能よりも優先度が高い未確認情報を指示するアイコンは表示されない。
【００８２】
ステップＳ１５において、主制御部３１、記憶部４７に予め記憶されているショートカット機能の設定を読み出し、読み出されたショートカット機能の設定に基づいて、予め設定されたショートカット機能（例えば電卓機能やメモ帳機能など）が存在するか否かを判定する。
【００８３】
ステップＳ１５において予め設定されたショートカット機能が存在すると判定された場合、主制御部３１はステップＳ１６で、ＬＣＤ制御部３６を制御し、液晶ディスプレイに、予め設定されたショートカット機能を指示するアイコンを液晶ディスプレイ１７上のショートカット機能表示領域に表示させる。液晶ディスプレイ１７は、ＬＣＤ制御部３６の制御に従い、予め設定されたショートカット機能を指示するアイコンを液晶ディスプレイ１７上のショートカット機能表示領域に表示する。
【００８４】
例えば図７［Ａ］に示されるように、液晶ディスプレイ１７に表示される表示画面５１−ａのショートカット機能表示領域βに、予め設定されたショートカット機能を指示するアイコン５３−１乃至５３−５が表示される。これは、現在、予め設定されたショートカット機能が５つあることを示している。従って、ユーザは、ショートカット機能表示領域βに表示されるアイコン５３−１乃至５３−５を見ることで、予め設定されたショートカット機能が５つあることを知ることができる。
【００８５】
一方、ステップＳ１５において予め設定されたショートカット機能が存在しないと判定された場合、ステップＳ１６の表示処理はスキップされる。
【００８６】
これにより、例えば図７［Ｃ］に示されるように、液晶ディスプレイ１７に表示される表示画面５１−ｅのショートカット機能表示領域βには、予め設定されたショートカット機能を指示するアイコンは表示されない。
【００８７】
ステップＳ１７において、主制御部３１は、読み出された未確認情報報知管理情報に基づいて、ショートカットよりも優先度が低い未確認情報があるか否かを判定する。
【００８８】
例えば図５［Ｅ］の場合、ショートカット機能よりも優先度が低い未確認情報として、「新着メール」が「２」件存在することから、ショートカット機能よりも優先度が低い未確認情報があると判定される。
【００８９】
ステップＳ１７においてショートカット機能よりも優先度が低い未確認情報があると判定された場合、主制御部３１はステップＳ１８で、ＬＣＤ制御部３６を制御し、液晶ディスプレイに、ショートカット機能よりも優先度が低い未確認情報を指示するアイコンを液晶ディスプレイ１７上の低優先度未確認情報表示領域に表示させる。液晶ディスプレイ１７は、ＬＣＤ制御部３６の制御に従い、ショートカット機能よりも優先度が低い未確認情報を指示するアイコンを液晶ディスプレイ１７上の低優先度未確認情報表示領域に表示する。
【００９０】
例えば図７［Ａ］に示されるように、液晶ディスプレイ１７に表示される表示画面５１−ａの低優先度未確認情報表示領域γに、ショートカット機能よりも優先度が低い未確認情報を指示するアイコン５４−１および５４−２が表示される。これは、現在、ショートカット機能よりも優先度が低い未確認情報が２つあることを示している。従って、ユーザは、低優先度未確認情報表示領域γに表示されるアイコン５４−１および５４−２を見ることで、ショートカット機能よりも優先度が低い未確認情報が２つあることを知ることができる。
【００９１】
一方、ステップＳ１７においてショートカット機能よりも優先度が低い未確認情報はないと判定された場合、ステップＳ１８の表示処理はスキップされる。
【００９２】
これにより、例えば図７［Ｄ］に示されるように、液晶ディスプレイ１７に表示される表示画面５１−ｇの低優先度未確認情報表示領域γには、ショートカット機能よりも優先度が低い未確認情報を指示するアイコンは表示されない。
【００９３】
ステップＳ１９において、主制御部３１は、操作入力制御部３３を介して、ユーザにより操作キー１４のうちの例えば下キーが押下されたか否かを判定する。
【００９４】
ステップＳ１９においてユーザにより操作キー１４のうちの例えば下キーが押下されたと判定された場合、主制御部３１はステップＳ２０で、読み出された未確認情報報知管理情報に基づいて、ショートカット機能よりも優先度が高い未確認情報があるか否かを判定する。
【００９５】
ステップＳ２０においてショートカット機能よりも優先度が高い未確認情報があると判定された場合、主制御部３１はステップＳ２１で、ＬＣＤ制御部３６を制御し、高優先度未確認情報表示領域に表示される、ショートカット機能よりも優先度が高い未確認情報を指示するアイコンを液晶ディスプレイ１７にフォーカスさせる。液晶ディスプレイ１７は、ＬＣＤ制御部３６の制御に従い、高優先度未確認情報表示領域に表示される、ショートカット機能よりも優先度が高い未確認情報を指示するアイコンをフォーカスする。
【００９６】
例えば図７［Ａ］に示されるように、表示画面５１−ａは表示画面５１−ｂに遷移し、表示画面５１−ｂの高優先度未確認情報表示領域αに表示される、ショートカット機能よりも優先度が高い未確認情報を指示するアイコン５２−１がフォーカスされる。このとき、アイコン５２−１の近傍には、例えば「着信あり  ２件」というメッセージが表示される。なお、この場合、アイコン５２−１および５２−２はともに「不在着信」の未確認情報であり、どちらのアイコン（例えばアイコン５２−１）がフォーカスされたとしても、ユーザに「不在着信」の未確認情報が２件あったことを知らせることができる。
【００９７】
なお、アイコン５２−１および５２−２がともに「新着メール」の未確認情報である場合には、アイコンの近傍には「メールあり  ２件」というメッセージが表示される。また、アイコン５２−１が「不在着信」の未確認情報であり、かつ、アイコン５２−２が「新着メール」である場合には、アイコン５２−１がフォーカスされると、アイコン５２−１の近傍には「不在着信  １件」というメッセージが表示され、アイコン５２−２がフォーカスされると、アイコン５２−２の近傍には「メールあり  １件」というメッセージが表示される。
【００９８】
勿論、他の方法により、ユーザに未確認情報の内容を報知するようにしてもよい。
【００９９】
ステップＳ２０においてショートカット機能よりも優先度が高い未確認情報はないと判定された場合、主制御部３１はステップＳ２２で、記憶部４７に記憶されているショートカット機能の設定を読み出し、読み出されたショートカット機能の設定に基づいて、予め設定されたショートカット機能が存在するか否かを判定する。
【０１００】
ステップＳ２２において予め設定されたショートカット機能が存在すると判定された場合、主制御部３１はステップＳ２３で、ＬＣＤ制御部３６を制御し、ショートカット機能表示領域に表示される、ショートカット機能を指示するアイコンを液晶ディスプレイ１７にフォーカスさせる。液晶ディスプレイ１７は、ＬＣＤ制御部３６の制御に従い、ショートカット機能表示領域に表示される、予め設定されたショートカット機能を指示するアイコンをフォーカスする。
【０１０１】
例えば図７［Ｂ］に示されるように、表示画面５１−ｃは表示画面５１−ｄに遷移し、表示画面５１−ｄのショートカット機能表示領域βに表示される、予め設定されたショートカット機能を指示するアイコン５３−１がフォーカスされる。このとき、アイコン５３−１の近傍には、例えば「電卓」というメッセージが表示される。これにより、ユーザにフォーカスされているアイコン５３−１により指示されるショートカット機能が「電卓」であることを知らせることができる。
【０１０２】
一方、ステップＳ２２において予め設定されたショートカット機能が存在しないと判定された場合、主制御部３１はステップＳ２４で、読み出された未確認情報報知管理情報に基づいて、ショートカット機能よりも優先度が低い未確認情報があるか否かを判定する。
【０１０３】
ステップＳ２４においてショートカット機能よりも優先度が低い未確認情報があると判定された場合、主制御部３１はステップＳ２５で、ＬＣＤ制御部３６を制御し、低優先度未確認情報表示領域に表示される、ショートカット機能よりも優先度が低い未確認情報を指示するアイコンを液晶ディスプレイ１７にフォーカスさせる。液晶ディスプレイ１７は、ＬＣＤ制御部３６の制御に従い、低優先度未確認情報表示領域に表示される、ショートカット機能よりも優先度が低い未確認情報を指示するアイコンをフォーカスする。
【０１０４】
例えば図７［Ｃ］に示されるように、表示画面５１−ｅは表示画面５１−ｆに遷移し、表示画面５１−ｅの低優先度未確認情報表示領域γに表示される、ショートカット機能よりも優先度が低い未確認情報を指示するアイコン５４−１がフォーカスされる。このとき、アイコン５４−１の近傍には、例えば「メールあり  ２件」というメッセージが表示される。なお、この場合、アイコン５４−１および５４−２はともに「新着メール」の未確認情報であり、どちらのアイコン（例えばアイコン５４−１）がフォーカスされたとしても、ユーザに「新着メール」の未確認情報が２件あったことを知らせることができる。
【０１０５】
なお、各アイコンの近傍に表示されるメーセージに関する詳細な説明については、基本的には、図７［Ａ］の表示画面５１−ｂを用いて説明した高優先度未確認情報表示領域αの場合と同様であり、その説明は繰り返しになるので省略する。
【０１０６】
ステップＳ２４においてショートカット機能よりも優先度が低い未確認情報があると判定された場合、処理はステップＳ１９に戻り、その後、ステップＳ１９以降の処理が繰り返される。
【０１０７】
ここで、ステップＳ２６以降の処理については、図８の表示画面の遷移図を用いて説明する。なお、図８の表示画面の遷移図は、図７［Ａ］の表示画面５１−ａから図７［Ｂ］の表示画面５１−ｂを経由して開始される表示画面の遷移を表している図である。
【０１０８】
ステップＳ２６において、主制御部３１は、操作入力制御部３３を介して、ユーザにより操作キー１４のうちの例えば下キーが押下されたか否かを判定する。ステップＳ２６においてユーザにより操作キー１４のうちの例えば下キーが押下されたと判定された場合、主制御部３１はステップＳ２７で、液晶ディスプレイ１７に表示される表示画面上において、ショートカット機能よりも優先度が高い未確認情報を指示するアイコンがフォーカスされているか否かを判定する。
【０１０９】
例えば図８の表示画面５１−ｂにおいては、ショートカット機能よりも優先度が高い未確認情報を指示するアイコン５２−１がフォーカスされていることから、液晶ディスプレイ１７に表示される表示画面上において、ショートカット機能よりも優先度が高い未確認情報を指示するアイコンがフォーカスされていると判定される。
【０１１０】
ステップＳ２７においてショートカット機能よりも優先度が高い未確認情報を指示するアイコンがフォーカスされていると判定された場合、主制御部３１はステップＳ２８で、ユーザにより操作キー１４のうちの例えば下キーが押下されることで、ショートカット機能よりも優先度が高い未確認情報を指示するアイコンが表示されてフォーカスされているにもかかわらず、ショートカット機能の使用などの方がより優先されたと判断し、ショートカット機能よりも優先度が高く設定されている未確認情報の優先度を、ショートカット機能よりも低く設定する。
【０１１１】
ステップＳ２９において、主制御部３１は、読み出された未確認情報報知管理情報を更新する。すなわち、主制御部３１は、読み出された未確認情報報知管理情報において管理されている未確認情報の件数を更新する。具体的には、図５［Ｅ］に示される未確認情報報知管理情報は、図５［Ｆ］に示される未確認情報報知管理情報に更新され、未確認情報の種別が「不在着信」である未確認情報のうち、ショートカット機能よりも優先度が高い件数が「２」件から「０」件に更新されるとともに、ショートカット機能よりも優先度が低い件数が「０」件から「２」件に更新される。
【０１１２】
ステップＳ３０において、主制御部３１は、ＬＣＤ制御部３６を制御し、液晶ディスプレイ１７の低優先度未確認情報表示領域に表示される、ショートカット機能よりも優先度が低く設定されているアイコンの表示を更新させる。液晶ディスプレイ１７は、ＬＣＤ制御部の制御に従い、液晶ディスプレイ１７の低優先度未確認情報表示領域に表示される、ショートカット機能よりも優先度が低く設定されているアイコンの表示を更新する。
【０１１３】
例えば図８の場合、表示画面５１−ｂは表示画面５５−ａに遷移し、表示画面５５−ａにおいては、表示画面５１−ｂにおいて高優先度未確認情報表示領域αに表示されていたアイコン５２−１および５２−２に対応するアイコン５４−３および５４−４が低優先度未確認情報γに追加されて表示される。これにより、ユーザは、操作キー１４のうちの例えば下キーを押下したことで、ショートカット機能よりも優先度が高く設定されている未確認情報の優先度がショートカット機能よりも低く設定され、ショートカット機能よりも優先度が低く設定されている未確認情報が４件になったことを知ることができる。
【０１１４】
なお、アイコン（例えばアイコン５４−３や５４−４など）を追加する場合、時系列的に配置するようにしてもよいし、メールや着信などのカテゴリごとに配置するようにしてもよい。
【０１１５】
ステップＳ３１において、主制御部３１は、ＬＣＤ制御部３６を制御し、液晶ディスプレイ１７に表示されるフォーカスの位置を移動させる。液晶ディスプレイ１７は、ＬＣＤ制御部３６の制御に従い、液晶ディスプレイ１７に表示されるフォーカスの位置を移動する。
【０１１６】
例えば図８の場合、表示画面５１−ｂは表示画面５５−ａに遷移し、フォーカスの位置は、高優先度未確認情報表示領域αに表示されるアイコン５２−１からショートカット機能表示領域βに表示されるアイコン５３−１に移動される。
【０１１７】
これにより、ユーザは、ショートカット機能よりも優先度が高い未確認情報があるために、最初に待ち受け画面上の高優先度未確認情報表示領域にアイコンが表示されている場合であっても、ショートカット機能よりも優先度が高い未確認情報を確認することなく、直ちに、所望のショートカット機能を起動させることができる。
【０１１８】
その後、処理はステップＳ２６に戻り、ステップＳ２６以降の処理が繰り返される。
【０１１９】
ステップＳ２６においてユーザにより操作キー１４のうちの例えば下キーが押下されていないと判定された場合、主制御部３１はステップＳ３２で、操作入力制御部３３を介して、ユーザにより操作キー１４のうちの例えば上キーが押下されたか否かを判定する。
【０１２０】
ステップＳ３２においてユーザにより操作キー１４のうちの例えば上キーが押下されたと判定された場合、処理はステップＳ３１に進み、ステップＳ３１においてフォーカス位置の移動処理が実行される。
【０１２１】
例えば図８の場合、表示画面５５−ａが表示画面５５−ｂに遷移した後、ユーザにより操作キー１４のうちの例えば上キーが押下されると、表示画面５５−ｂはさらに表示画面５５−ａに遷移する。このとき、フォーカスの位置は、低優先度未確認情報表示領域γに表示されるアイコン５４−１からショートカット機能表示領域βに表示されるアイコン５３−１に移動される。その後、表示画面５５−ａまたは５５−ｂが表示されている際に、ユーザにより操作キー１４のうちの例えば上下キー（上キーまたは下キー）が押下されると、表示画面は表示画面５５−ａと５５−ｂとの間を遷移する。
【０１２２】
ステップＳ３２においてユーザにより操作キー１４のうちの例えば上キーが押下されていないと判定された場合、主制御部３１はステップＳ３３で、ユーザにより操作キー１４のうちの例えば左右キー（左キーまたは右キー）が押下されたか否かを判定する。
【０１２３】
ステップＳ３３においてユーザにより操作キー１４のうちの例えば左右キーが押下されたと判定された場合、処理はステップＳ３１に進み、ステップＳ３１においてフォーカス位置の移動処理が実行される。
【０１２４】
例えば図８の場合、表示画面５１−ｂが表示画面５５−ａに遷移した後、ユーザにより操作キー１４のうちの例えば左右キー（右キー）が押下されると、表示画面５５−ａは表示画面５５−ｃに遷移する。このとき、フォーカスの位置は、ショートカット機能表示領域βに表示されるアイコン５３−１からアイコン５３−２に移動される。その後、表示画面５５−ａまたは５５−ｃが表示されている際に、ユーザにより操作キー１４のうちの例えば左右キーが押下されると、表示画面は表示画面５５−ａと５５−ｃとの間を遷移する。
【０１２５】
また、表示画面５１−ｂが表示されている際に、ユーザにより操作キー１４のうちの例えば左右キー（右キー）が押下されると、表示画面５１−ｂは表示画面５５−ｄに遷移する。このとき、フォーカスの位置は、高優先度未確認情報表示領域αに表示されるアイコン５２−１からアイコン５２−２に移動される。その後、表示画面５１−ｂまたは５５−ｄが表示されている際に、ユーザにより操作キー１４のうちの例えば左右キーが押下されると、表示画面は表示画面５１−ｂと５５−ｄとの間を遷移する。
【０１２６】
さらに、表示画面５１−ｂが表示画面５５−ａを経由して表示画面５５−ｂに遷移した後、ユーザにより操作キー１４のうちの例えば左右キー（右キー）が押下されると、表示画面５５−ｂは表示画面５５−ｅに遷移する。このとき、フォーカスの位置は、低優先度未確認情報表示領域γに表示されるアイコン５４−１からアイコン５４−２に移動される。その後、表示画面５５−ｂまたは５５−ｅが表示されている際に、ユーザにより操作キー１４のうちの例えば左右キーが押下されると、表示画面は表示画面５５−ｂと５５−ｅとの間を遷移する。
【０１２７】
また、表示画面５１−ｂが表示画面５５−ｂを経由して表示画面５５−ｅに遷移した後、ユーザにより操作キー１４のうちの例えば左右キー（右キー）がさらに押下されると、表示画面５５−ｅは表示画面５５−ｆに遷移する。このとき、フォーカスの位置は、低優先度未確認情報表示領域γに表示されるアイコン５４−２からアイコン５４−３に移動される。その後、表示画面５５−ｅまたは５５−ｆが表示されている際に、ユーザにより操作キー１４のうちの例えば左右キーが押下されると、表示画面は表示画面５５−ｅと５５−ｆとの間を遷移する。
【０１２８】
ステップＳ３３においてユーザにより操作キー１４のうちの例えば左右キーが押下されていないと判定された場合、主制御部３１はステップＳ３４で、操作入力制御部３３を介して、ユーザにより操作キー１４のうちの例えば確定キーが押下されたか否かを判定する。
【０１２９】
ステップＳ３４においてユーザにより操作キー１４のうちの例えば確定キーが押下されていないと判定された場合、処理はステップＳ２６に戻り、その後、ステップＳ２６以降の処理が繰り返される。
【０１３０】
ステップＳ３４においてユーザにより操作キー１４のうちの例えば確定キーが押下されたと判定された場合、主制御部３１はステップＳ３５で、ショートカット機能よりも優先度が高い未確認情報を指示するアイコンがフォーカスされているか否かを判定する。
【０１３１】
例えば図８の表示画面５１−ｂにおいては、ショートカット機能よりも優先度が高い未確認情報を指示するアイコン５２−１がフォーカスされていることから、液晶ディスプレイ１７に表示される表示画面上において、ショートカット機能よりも優先度が高い未確認情報を指示するアイコンがフォーカスされていると判定される。
【０１３２】
ステップＳ３５においてショートカット機能よりも優先度が高い未確認情報を指示するアイコンがフォーカスされていると判定された場合、主制御部３１はステップＳ３６で、ユーザにより操作キー１４のうちの例えば確定キーが押下されることで、表示画面上においてフォーカスされているショートカット機能よりも優先度が高い未確認情報の確認が指示されたと判断し、読み出された未確認情報報知管理情報を更新する。すなわち、主制御部３１は、読み出された未確認情報報知管理情報において管理されている未確認情報の件数を更新する。
【０１３３】
具体的には、表示画面５１−ｂが表示されていて、かつ、高優先度未確認情報表示領域αに表示されているアイコン５２−１がフォーカスされている際に、ユーザにより例えば確定キーが押下された場合、図５［Ｅ］に示される未確認情報報知管理情報は、図５［Ｇ］に示される未確認情報報知管理情報に更新され、未確認情報の種別が「不在着信」である未確認情報のうち、ショートカット機能よりも優先度が高い件数が「２」件から「１」件に更新される。なお、表示画面５５−ｄが表示されていて、かつ、高優先度未確認情報表示領域αに表示されているアイコン５２−２がフォーカスされている際に、ユーザにより例えば確定キーが押下された場合についても同様である。
【０１３４】
これにより、ユーザによりショートカット機能よりも優先度が高い未確認情報の確認が指示された場合、ショートカット機能よりも優先度が高い未確認情報の件数などが管理されている未確認情報報知管理情報を更新することができる。従って、以降の表示制御処理において更新された未確認情報報知管理情報に基づいて、すでにユーザにより確認された未確認情報の報知をキャンセルすることができる。
【０１３５】
ステップＳ３５においてショートカット機能よりも優先度が高い未確認情報を指示するアイコンがフォーカスされていないと判定された場合、ステップＳ３６の処理はスキップされる。すなわち、ステップＳ３６における未確認情報報知管理情報の更新処理は行われない。
【０１３６】
ステップＳ３７において、主制御部３１は、ユーザにより例えば確定キーが押下された際にフォーカスがされていたアイコンに予め対応付けられた機能を起動する。
【０１３７】
例えば図８の場合、表示画面５１−ｂが表示されていて、かつ、高優先度未確認情報表示領域αに表示されているアイコン５２−１がフォーカスされている際に、ユーザにより例えば確定キーが押下されると、ユーザにより例えば確定キーが押下された際にフォーカスがされていたアイコン５２−１に予め対応付けられた機能が起動されて、表示画面５１−ｂは表示画面５５−ｇに遷移し、発着信履歴画面が表示される。その後、発着信履歴画面上において発着信に関する種々の処理が実行される。
【０１３８】
また、表示画面５５−ｄが表示されていて、かつ、高優先度未確認情報表示領域αに表示されているアイコン５２−２がフォーカスされている際に、ユーザにより例えば確定キーが押下されると、ユーザにより例えば確定キーが押下された際にフォーカスがされていたアイコン５２−２に予め対応付けられた機能が起動されて、同様に、表示画面５１−ｂは表示画面５５−ｇに遷移し、発着信履歴画面が表示される。その後、発着信履歴画面上において発着信に関する種々の処理が実行される。
【０１３９】
一方、表示画面５５−ａが表示されていて、かつ、ショートカット機能表示領域βに表示されているアイコン５３−１がフォーカスされている際に、ユーザにより例えば確定キーが押下されると、ユーザにより例えば確定キーが押下された際にフォーカスがされていたアイコン５３−１に予め対応付けられた機能（電卓機能）が起動されて、表示画面５５−ａは表示画面５５−ｈに遷移し、電卓機能画面が表示される。その後、電卓機能画面上において電卓を用いた種々の計算処理が実行される。
【０１４０】
また、表示画面５５−ｃが表示されていて、かつ、ショートカット機能表示領域βに表示されているアイコン５３−２がフォーカスされている際に、ユーザにより例えば確定キーが押下されると、ユーザにより例えば確定キーが押下された際にフォーカスがされていたアイコン５３−２に予め対応付けられた機能（メモ帳機能）が起動されて、表示画面５５−ｃは表示画面５５−ｉに遷移し、メモ帳機能画面が表示される。その後、メモ帳機能画面上においてメモの入力処理や記録処理などが実行される。
【０１４１】
さらに、表示画面５５−ｅが表示されていて、かつ、低優先度未確認情報表示領域γに表示されているアイコン５４−１がフォーカスされている際に、ユーザにより例えば確定キーが押下されると、ユーザにより例えば確定キーが押下された際にフォーカスがされていたアイコン５４−１に予め対応付けられた機能（メール送受信履歴機能）が起動されて、表示画面５５−ｅは表示画面５５−ｊに遷移し、メール送受信履歴画面が表示される。その後、メール送受信履歴画面上においてメールの送受信に関する種々の処理が実行される。
【０１４２】
また、表示画面５５−ｆが表示されていて、かつ、低優先度未確認情報表示領域γに表示されているアイコン５４−３がフォーカスされている際に、ユーザにより例えば確定キーが押下されると、ユーザにより例えば確定キーが押下された際にフォーカスがされていたアイコン５４−３に予め対応付けられた機能が起動されて、表示画面５５−ｆは表示画面５５−ｋに遷移し、発着信履歴画面が表示される。その後、発着信履歴画面上において発着信に関する種々の処理が実行される。
【０１４３】
ステップＳ３８において、主制御部３１は、ユーザにより例えば確定キーが押下された際にフォーカスがされていたアイコンに予め対応付けられた機能を終了する。
【０１４４】
その後、処理はステップＳ１２に戻り、ステップＳ１２において新たに更新された未確認情報報知管理情報が読み出され、ステップＳ１３以降の処理において、読み出された未確認情報報知管理情報に基づいて表示制御処理が繰り返し実行される。
【０１４５】
なお、例えば図８の表示画面５５−ｇが表示されて発着信履歴機能が起動された場合、その後、ユーザにより操作キー１４が操作されることにより「戻る」が選択されると、ステップＳ１２乃至Ｓ１８の処理により液晶ディスプレイ１７には、表示画面５５−ｌが表示される。表示画面５５−ｌの高優先度未確認情報表示領域αには、ショートカット機能よりも優先度が高いアイコン５２−１のみが表示されており、ユーザにより２つの未確認情報のうちの１つの未確認情報が確認されたことを示している。
【０１４６】
また、図８の表示画面５５−ｉが表示されてメモ帳機能が起動された場合、その後、ユーザにより操作キー１４が操作されることにより「戻る」が選択されると、ステップＳ１２乃至Ｓ１８の処理により液晶ディスプレイ１７には、表示画面５５−ｍが表示される。表示画面５５−ｍの高優先度未確認情報表示領域αには、ショートカット機能よりも優先度が高いアイコンは表示されておらず、一方、低優先度未確認情報表示領域γには、ショートカット機能よりも優先度が低いアイコン５４−１乃至５４−４が表示されており、ユーザによってはまだ確認されていない４つの未確認情報（ショートカット機能よりも優先度が低い未確認情報）が存在することを示している。
【０１４７】
さらに、図８の表示画面５５−ｊが表示されてメール送受信履歴機能が起動された場合、その後、ユーザにより操作キー１４が操作されることにより「戻る」が選択されると、ステップＳ１２乃至Ｓ１８の処理により液晶ディスプレイ１７には、表示画面５５−ｎが表示される。表示画面５５−ｎの高優先度未確認情報表示領域αには、ショートカット機能よりも優先度が高いアイコンは表示されておらず、一方、低優先度未確認情報表示領域γには、ショートカット機能よりも優先度が低いアイコン５４−１、５４−３、および５４−４が表示されており、ユーザによってはまだ確認されていない３つの未確認情報（ショートカット機能よりも優先度が低い未確認情報）が存在することを示している。
【０１４８】
また、図８の表示画面５５−ｋが表示されて発着信履歴機能が起動された場合、その後、ユーザにより操作キー１４が操作されることにより「戻る」が選択されると、ステップＳ１２乃至Ｓ１８の処理により液晶ディスプレイ１７には、表示画面５５−ｏが表示される。表示画面５５−ｏの高優先度未確認情報表示領域αには、ショートカット機能よりも優先度が高いアイコンは表示されておらず、一方、低優先度未確認情報表示領域γには、ショートカット機能よりも優先度が低いアイコン５４−１、５４−２、および５４−４が表示されており、ユーザによってはまだ確認されていない３つの未確認情報（ショートカット機能よりも優先度が低い未確認情報）が存在することを示している。
【０１４９】
一方、ステップＳ１９においてユーザにより操作キー１４のうちの例えば下キーが押下されていないと判定された場合、主制御部３４はステップＳ３９で、操作入力制御部３３を介して、ユーザにより操作キー１４のうちの例えばショートカット機能が割り当てられたキー（例えばメールやブラウザを起動するためのsoftキーや発呼を行うための所定の数字キーなどを指す。以下同様）が押下されたか否かを判定する。
【０１５０】
ステップＳ３９において例えばショートカット機能が割り当てられたキーが押下されたと判定された場合、主制御部３１はステップＳ４０で、読み出された未確認情報報知管理情報に基づいて、ショートカット機能よりも優先度が高い未確認情報があるか否かを判定する。
【０１５１】
例えば図５［Ｅ］の場合、ショートカット機能よりも優先度が高い未確認情報として、「不在着信」が「２」件存在することから、ショートカット機能よりも優先度が高い未確認情報があると判定される。
【０１５２】
ステップＳ４０において例えばショートカット機能よりも優先度が高い未確認情報があると判定された場合、主制御部３１はステップＳ４１で、ユーザにより操作キー１４のうちの例えばショートカット機能が割り当てられたキー（例えばsoftキーや所定の数字キーなど）が押下されることで、ショートカット機能よりも優先度が高い未確認情報を指示するアイコンが表示されているにもかかわらず、ショートカット機能の使用などの方がより優先されたと判断し、ショートカット機能よりも優先度が高く設定されている未確認情報の優先度を、ショートカット機能よりも低く設定する。
【０１５３】
ステップＳ４２において、主制御部３１は、読み出された未確認情報報知管理情報において管理されている未確認情報の件数を更新する。具体的には、例えば図５［Ｅ］に示される未確認情報報知管理情報は、図５［Ｆ］に示される未確認情報報知管理情報に更新され、未確認情報の種別が「不在着信」である未確認情報のうち、ショートカット機能よりも優先度が高い件数が「２」件から「０」件に更新されるとともに、ショートカット機能よりも優先度が低い件数が「０」件から「２」件に更新される。すなわち、未確認情報の種別が「不在着信」である未確認情報のうち、ショートカット機能よりも優先度が高いものが、すべて、ショートカット機能よりも優先度が低いものに更新される。
【０１５４】
これにより、ユーザは、たとえショートカット機能よりも優先度が高い未確認情報が存在し、高優先度未確認情報表示領域に表示されていたとしても、その優先度をショートカット機能よりも低く設定させることができだけなく、同時に、所望のショートカット機能を起動させることができる。従って、ユーザは、所望のショートカット機能を優先的に使用した後であっても、低優先度未確認情報表示領域に表示されるショートカット機能よりも優先度が低い未確認情報を指示するアイコンを見ることで、適宜、確認していない未確認情報を確認することができる。
【０１５５】
勿論、未確認情報の種別が「不在着信」である未確認情報のうち、ショートカット機能よりも優先度が高いもののうち、すべて、ショートカット機能よりも優先度が低いものに更新するのではなく、その一部をショートカット機能よりも優先度が低いものに更新するようにしてもよい。
【０１５６】
また、未確認情報の種別が「不在着信」である未確認情報のうち、ショートカット機能よりも優先度が高いものを、すべて、ショートカット機能よりも優先度が低いものに更新するのではなく、ユーザが所望のショートカット機能を使用することができるように、一時的に高優先度未確認情報表示領域にショートカット機能よりも優先度が高い未確認情報を指示するアイコンを不表示にするようにしてもよい。
【０１５７】
ステップＳ４３において、主制御部３１は、ユーザにより押下されたキー（例えばsoftキーや所定の数字キーなど）に割り当てられたショートカット機能（例えば電卓機能など）を起動する。
【０１５８】
このとき、液晶ディスプレイ１７に表示される表示画面は、図７［Ａ］の表示画面５１−ａから表示画面５１−ｈに遷移する。
【０１５９】
ステップＳ４４において、主制御部３１は、ユーザにより押下されたキー（例えばsoftキーや所定の数字キーなど）に割り当てられたショートカット機能（例えば電卓機能など）を終了する。
【０１６０】
その後、ステップＳ１２において新たに更新された未確認情報報知管理情報が読み出され、ステップＳ１３以降の処理において、読み出された未確認情報報知管理情報に基づいて表示制御処理が繰り返し実行される。
【０１６１】
なお、ユーザにより操作キー１４のうちの例えばショートカット機能が割り当てられたキー（例えばsoftキーや所定の数字キーなど）が押下されることで、いずれかのショートカット機能が起動された場合、その後、ユーザにより操作キー１４が操作されることにより「戻る」が選択されると、ステップＳ１２乃至Ｓ１８の処理により液晶ディスプレイ１７には、図７［Ａ］に示されるように、表示画面５１−ｈから遷移し、表示画面５１−ｉが表示される。表示画面５１−ｉの高優先度未確認情報表示領域αには、未確認情報報知管理情報が更新されたことから、ショートカット機能よりも優先度が高いアイコンは表示されておらず、一方、低優先度未確認情報表示領域γには、ショートカット機能よりも優先度が低いアイコン５４−１乃至５４−４が表示されており、ユーザによってはまだ確認されていない４つの未確認情報（ショートカット機能よりも優先度が低い未確認情報）が存在することを示している。
【０１６２】
本発明の実施形態においては、待ち受け画面を表示する際に、待ち受け画面上に高優先度未確認情報表示領域、ショートカット機能表示領域、および低優先度未確認情報表示領域を設け、表示画面（待ち受け画面）上の高優先度未確認情報表示領域にショートカット機能よりも優先度が高い未確認情報を指示するアイコンを表示し、表示画面（待ち受け画面）上のショートカット機能表示領域に予め設定されたショートカット機能を指示するアイコンを表示し、表示画面（待ち受け画面）上の低優先度未確認情報表示領域にショートカット機能よりも優先度が低い未確認情報を指示するアイコンを表示することができる。
【０１６３】
そして、高優先度未確認情報表示領域に表示される未確認情報を指示するアイコンがフォーカスされている際に、ユーザにより操作キー１４のうちの例えば下キーが押下されることで、ショートカット機能よりも優先度が高い未確認情報を指示するアイコンが表示されてフォーカスされているにもかかわらず、ショートカット機能の使用などの方がより優先されたと判断し、ショートカット機能よりも優先度が高く設定されている未確認情報の優先度を、ショートカット機能よりも低く設定することができる。また、高優先度未確認情報表示領域に表示される未確認情報を指示するアイコンがフォーカスされている際に、ユーザにより操作キー１４のうちの例えばショートカット機能が割り当てられたキー（例えばsoftキーや所定の数字キーなど）が押下されることで、ショートカット機能よりも優先度が高い未確認情報を指示するアイコンが表示されているにもかかわらず、ショートカット機能の使用などの方がより優先されたと判断し、ショートカット機能よりも優先度が高く設定されている未確認情報の優先度を、ショートカット機能よりも低く設定することができる。また、設定された優先度に基づいて、記憶部４７に記憶されている未確認情報報知管理情報を更新することができる。さらに、高優先度未確認情報表示領域に表示される未確認情報を指示するアイコンがフォーカスされている際に、ユーザにより操作キー１４のうちの例えば確定キーが押下されることで、表示画面上においてフォーカスされているショートカット機能よりも優先度が高い未確認情報の確認が指示されたと判断し、読み出された未確認情報報知管理情報において管理されている未確認情報の件数を更新することができる。
【０１６４】
これにより、液晶ディスプレイ１７に表示される表示画面の高優先度未確認情報表示領域と低高優先度未確認情報表示領域のアイコンの表示を更新することができるとともに、表示画面（待ち受け画面）上の各表示領域（高優先度未確認情報表示領域、ショートカット機能表示領域、および、低優先度未確認情報表示領域）に表示されているアイコンに適宜フォーカスを移動することができる。
【０１６５】
従って、ユーザは、ショートカット機能よりも優先度が高い未確認情報があるために、最初に待ち受け画面上の高優先度未確認情報表示領域にアイコンが表示されている場合であっても、ショートカット機能よりも優先度が高い未確認情報を確認することなく、直ちに、所望のショートカット機能を起動させることができる。
【０１６６】
その結果、携帯電話機１の操作性を向上させることができる。
【０１６７】
ところで、図６のフローチャートを参照して説明した携帯電話機１における表示制御処理においては、待ち受け画面（表示画面）上に高優先度未確認情報表示領域、ショートカット機能表示領域、および低優先度未確認情報表示領域を設け、そのうちの高優先度未確認情報表示領域においてショートカット機能よりも優先度が高い未確認情報を指示するアイコンを表示することにより、ユーザにショートカット機能よりも優先度が高い未確認情報を報知するようにしたが、このような場合に限られず、例えばポップアップ表示などを用いてユーザにショートカット機能よりも優先度が高い未確認情報を報知するようにしてもよい。以下、この方法を用いた携帯電話機１における表示制御処理について説明する。
【０１６８】
図９および図１０のフローチャートを参照して、図３の携帯電話機１における他の表示制御処理について説明する。この表示制御処理は、ユーザにより携帯電話機１が操作されることにより、例えば携帯電話機１が閉じられた状態から開けられた状態になされたり、あるいは、携帯電話機１が開けられた状態で所定の時間（例えば１分間など）経過して、液晶ディスプレイ１７のライトが消灯されスタンバイの状態に遷移した後、ユーザにより携帯電話機１に設けられた操作キー１４が操作されることにより、液晶ディスプレイ１７のライトが点灯されたときなどに、開始される。
【０１６９】
ステップＳ５１において、主制御部３１は、ＬＣＤ制御部３６を制御し、ユーザにより予め設定された待ち受け画面（ユーザにより予め設定されていない場合には、デフォルトの待ち受け画面）を液晶ディスプレイ１７に表示させる。液晶ディスプレイ１７は、ＬＣＤ制御部３６を制御し、ユーザにより予め設定された待ち受け画面を表示する。
【０１７０】
ステップＳ５２において、主制御部３１は、記憶部４７に記憶されている未確認情報報知管理情報を読み出す。なお、読み出される未確認情報報知管理情報の詳細な説明については、図６のステップＳ１２における説明と基本的には同様であり、その説明は繰り返しになるので省略する。また、以下においては、説明を簡略化するために、例えば図５［Ｈ］に示される未確認情報報知管理情報を用いて実行される表示制御処理について説明する。
【０１７１】
ステップＳ５３において、主制御部３１は、読み出された未確認情報報知管理情報に基づいて、ショートカットよりも優先度が高い未確認情報があるか否かを判定する。
【０１７２】
例えば図５［Ｅ］の場合、ショートカット機能よりも優先度が高い未確認情報として、「不在着信」が「２」件存在することから、ショートカット機能よりも優先度が高い未確認情報があると判定される。
【０１７３】
ステップＳ５３においてショートカット機能よりも優先度が高い未確認情報があると判定された場合、主制御部３１はステップＳ５４で、ＬＣＤ制御部３６を制御し、液晶ディスプレイに、ショートカット機能よりも優先度が高い未確認情報を指示するアイコンをポップアップ表示させる。液晶ディスプレイ１７は、ＬＣＤ制御部３６の制御に従い、ショートカット機能よりも優先度が高い未確認情報を指示するアイコンをポップアップ表示する。
【０１７４】
例えば図１１［Ａ］に示されるように、液晶ディスプレイ１７に表示される表示画面５６−ａ上に、ショートカット機能よりも優先度が高い未確認情報を指示するアイコン５７がポップアップ表示される。これは、現在、ショートカット機能よりも優先度が高い未確認情報があり、そのうち、「不在着信」が「１０」件、「新着メール」が「５」件、および「伝言（簡易留守メモ）」が「３」件あることを示している。従って、ユーザは、表示画面５６−ａ上に表示されるアイコン５７を見ることで、ショートカット機能よりも優先度が高い未確認情報があり、そのうち、「不在着信」が「１０」件、「新着メール」が「５」件、および「伝言（簡易留守メモ）」が「３」件あることを知ることができる。
【０１７５】
なお、液晶ディスプレイ１７に表示される表示画面５６−ａ上に、ショートカット機能よりも優先度が高い未確認情報を指示するアイコン５７がポップアップ表示される場合、例えば図１１［Ａ］に示されるように、アイコン５７の一部の領域（例えば「着信あり  １０件」の領域）がフォーカスされる。
【０１７６】
一方、ステップＳ５３においてショートカット機能よりも優先度が高い未確認情報はないと判定された場合、ステップＳ５４の表示処理はスキップされる。
【０１７７】
これにより、例えば図１１［Ｂ］に示されるように、液晶ディスプレイ１７に表示される表示画面５６−ｂには、ショートカット機能よりも優先度が高い未確認情報を指示するアイコンはポップアップ表示されない。
【０１７８】
ステップＳ５５において、主制御部３１、記憶部４７に予め記憶されているショートカット機能の設定を読み出し、読み出されたショートカット機能の設定に基づいて、予め設定されたショートカット機能（例えば電卓機能やメモ帳機能など）が存在するか否かを判定する。
【０１７９】
ステップＳ５５において予め設定されたショートカット機能が存在すると判定された場合、主制御部３１はステップＳ５６で、ＬＣＤ制御部３６を制御し、液晶ディスプレイに、予め設定されたショートカット機能を指示するアイコンを液晶ディスプレイ１７上のショートカット機能表示領域に表示させる。液晶ディスプレイ１７は、ＬＣＤ制御部３６の制御に従い、予め設定されたショートカット機能を指示するアイコンを液晶ディスプレイ１７上のショートカット機能表示領域に表示する。
【０１８０】
例えば図１１［Ｂ］に示されるように、液晶ディスプレイ１７に表示される表示画面５６−ａのショートカット機能表示領域βに、予め設定されたショートカット機能を指示するアイコン５３−１乃至５３−５が表示される。これは、現在、予め設定されたショートカット機能が５つあることを示している。従って、ユーザは、ショートカット機能表示領域βに表示されるアイコン５３−１乃至５３−５を見ることで、予め設定されたショートカット機能が５つあることを知ることができる。
【０１８１】
一方、ステップＳ５５において予め設定されたショートカット機能が存在しないと判定された場合、ステップＳ５６の表示処理はスキップされる。
【０１８２】
これにより、例えば図１１［Ｃ］に示されるように、液晶ディスプレイ１７に表示される表示画面５６−ｃのショートカット機能表示領域βには、予め設定されたショートカット機能を指示するアイコンは表示されない。
【０１８３】
ステップＳ５７において、主制御部３１は、読み出された未確認情報報知管理情報に基づいて、ショートカットよりも優先度が低い未確認情報があるか否かを判定する。
【０１８４】
例えば図５［Ｈ］の場合、ショートカット機能よりも優先度が低い未確認情報として、「新着メール」が「２」件存在することから、ショートカット機能よりも優先度が低い未確認情報があると判定される。
【０１８５】
ステップＳ５７においてショートカット機能よりも優先度が低い未確認情報があると判定された場合、主制御部３１はステップＳ５８で、ＬＣＤ制御部３６を制御し、液晶ディスプレイに、ショートカット機能よりも優先度が低い未確認情報を指示するアイコンを液晶ディスプレイ１７上の低優先度未確認情報表示領域に表示させる。液晶ディスプレイ１７は、ＬＣＤ制御部３６の制御に従い、ショートカット機能よりも優先度が低い未確認情報を指示するアイコンを液晶ディスプレイ１７上の低優先度未確認情報表示領域に表示する。
【０１８６】
例えば図１１［Ａ］に示されるように、液晶ディスプレイ１７に表示される表示画面５６−ａの低優先度未確認情報表示領域γに、ショートカット機能よりも優先度が低い未確認情報を指示するアイコン５４−１および５４−２が表示される。これは、現在、ショートカット機能よりも優先度が低い未確認情報が２つあることを示している。従って、ユーザは、低優先度未確認情報表示領域γに表示されるアイコン５４−１および５４−２を見ることで、ショートカット機能よりも優先度が低い未確認情報が２つあることを知ることができる。
【０１８７】
一方、ステップＳ５７においてショートカット機能よりも優先度が低い未確認情報はないと判定された場合、ステップＳ５８の表示処理はスキップされる。
【０１８８】
これにより、例えば図１１［Ｄ］に示されるように、液晶ディスプレイ１７に表示される表示画面５６−ｄの低優先度未確認情報表示領域γには、ショートカット機能よりも優先度が低い未確認情報を指示するアイコンは表示されない。
【０１８９】
ここで、ステップＳ５９以降の処理については、図１２の表示画面の遷移図を用いて説明する。なお、図１２の表示画面の遷移図は、図１１［Ａ］の表示画面５６−ａから開始される表示画面の遷移を表している図である。
【０１９０】
ステップＳ５９において、主制御部３１は、操作入力制御部３３を介して、ユーザにより操作キー１４のうちの例えば上下キーが押下されたか否かを判定する。
【０１９１】
ステップＳ５９においてユーザにより操作キー１４のうちの例えば上下キーが押下されたと判定された場合、主制御部３１はステップＳ６０で、液晶ディスプレイ１７に表示される表示画面上に、ショートカット機能よりも優先度が高い未確認情報を指示するアイコンがポップアップ表示されているか否かを判定する。
【０１９２】
ステップＳ６０においてショートカット機能よりも優先度が高い未確認情報を指示するアイコンがポップアップ表示されていると判定された場合、主制御部３１はステップＳ６１で、ＬＣＤ制御部３６を制御し、液晶ディスプレイ１７に表示されるフォーカスの位置を移動させる。液晶ディスプレイ１７は、ＬＣＤ制御部３６の制御に従い、液晶ディスプレイ１７に表示されるフォーカスの位置を移動する。
【０１９３】
例えば図１２の場合、ユーザにより操作キー１４のうちの例えば下キーが押下されると、表示画面５６−ａは表示画面５８−ａに遷移し、フォーカスの位置は、ポップアップ表示されるアイコン５７の「着信あり  １０件」の領域から「Ｅメールあり  ５件」の領域に移動される。
【０１９４】
なお、ユーザにより操作キー１４のうちの例えば下キーがさらに押下されると、フォーカスの位置は、ポップアップ表示されるアイコン５７の「Ｅメールあり  ５件」の領域から「簡易留守メモ」の領域に移動される。また、ユーザにより操作キー１４のうちの例えば上下キーがさらに押下されると、フォーカスの位置は、ポップアップ表示されるアイコン５７の「着信あり  １０件」の領域、「Ｅメールあり  ５件」の領域、および「簡易留守メモ」の領域のいずれかに移動される。
【０１９５】
ステップＳ６２において、主制御部３１は、操作入力制御部３３を介して、ユーザにより操作キー１４のうちの例えば確定キーが押下されたか否かを判定する。ステップＳ６２においてユーザにより操作キー１４のうちの例えば確定キーが押下されたと判定された場合、主制御部３１はステップＳ６３で、ユーザにより例えば確定キーが押下された際にフォーカスがされていたアイコン（またはアイコンの一部の領域）に予め対応付けられた機能（例えばメール送受信履歴機能や発着信履歴機能、電卓機能など）を起動する。
【０１９６】
例えば図１２の場合、表示画面５７−ａが表示されていて、かつ、ポップアップ表示されているアイコン５７の「Ｅメール  ５件」の領域がフォーカスされている際に、ユーザにより例えば確定キーが押下されると、ユーザにより例えば確定キーが押下された際にフォーカスがされていたアイコン５７の「Ｅメール  ５件」の領域に予め対応付けられた機能（メール送受信履歴機能）が起動されて、表示画面５８−ａは表示画面５８−ｂに遷移し、メール送受信履歴画面が表示される。その後、メール送受信履歴画面上においてメールの送受信に関する種々の処理が実行される。
【０１９７】
具体的には、表示画面５８−ｂのメール送受信履歴画面を用いて、例えば５件の新着メールのうちの所望の２件のメールの内容が表示され、ユーザにより、この２件の新着メールが確認される。このとき、ユーザにより確認されなかった３件の新着メールについては、ショートカット機能よりも優先度が高い未確認情報として依然として管理される。なお、勿論、ユーザにより確認されなかった３件の新着メールについては、メール送受信履歴画面に表示されたにもかかわらず、ユーザにより確認されなかったと判断し、優先度をショートカット機能よりも低く設定するとともに、以降の表示制御処理において低優先度未確認情報表示領域にこれらの未確認情報を指示するアイコンを追加して表示するようにしてもよい。
【０１９８】
また、表示画面５６−ａが表示されていて、かつ、ポップアップ表示されているアイコン５７の「着信あり  １０件」の領域がフォーカスされている際に、ユーザにより例えば確定キーが押下されると、ユーザにより例えば確定キーが押下された際にフォーカスがされていたアイコン５７の「着信あり  １０件」の領域に予め対応付けられた機能（発着信履歴機能）が起動されて、表示画面５６−ａは表示画面５８−ｃに遷移し、発着信履歴画面が表示される。その後、発着信履歴画面上において発着信に関する種々の処理が実行される。
【０１９９】
具体的には、表示画面５８−ｃの発着信履歴画面を用いて、例えば１０件の不在着信のうちの所望の３件の不在着信の内容が表示されて、ユーザにより、この３件の不在着信が確認される
ステップＳ６４において、主制御部３１は、ユーザにより例えば確定キーが押下された際にフォーカスがされていたアイコン（またはアイコンの一部の領域）に予め対応付けられた機能（例えばメール送受信履歴機能や発着信履歴機能など）を終了する。
【０２００】
ステップＳ６５において、主制御部３１は、ショートカット機能よりも優先度が高い未確認情報を指示するアイコンがフォーカスされていたか否かを判定する。
【０２０１】
例えば図１２の表示画面５８−ｂまたは５８−ｃにおいては、経由する表示画面５６−ａまたは５８−ａにおいてショートカット機能よりも優先度が高い未確認情報を指示するアイコン５７がフォーカスされていたことから、液晶ディスプレイ１７に表示される表示画面上において、ショートカット機能よりも優先度が高い未確認情報を指示するアイコンがフォーカスされていたと判定される。
【０２０２】
ステップＳ６５においてショートカット機能よりも優先度が高い未確認情報を指示するアイコンがフォーカスされていたと判定された場合、主制御部３１はステップＳ６６で、ユーザにより操作キー１４のうちの例えば確定キーが押下されることで、表示画面上においてフォーカスされているショートカット機能よりも優先度が高い未確認情報の確認が指示されたと判断し、読み出された未確認情報報知管理情報において管理されている未確認情報の件数を更新する。
【０２０３】
具体的には、表示画面５８−ａが表示されていて、かつ、ポップアップ表示されているアイコン５７の「Ｅメール  ５件」の領域がフォーカスされている際に、ユーザにより例えば確定キーが押下された場合、図５［Ｈ］に示される未確認情報報知管理情報は、例えば図５［Ｉ］に示される未確認情報報知管理情報に更新され、未確認情報の種別が「新着メール」である未確認情報のうち、ショートカット機能よりも優先度が高い件数が「５」件から「３」件に更新される。
【０２０４】
また、表示画面５６−ａが表示されていて、かつ、ポップアップ表示されているアイコン５７の「着信なり  １０件」の領域がフォーカスされている際に、ユーザにより例えば確定キーが押下された場合、図５［Ｈ］に示される未確認情報報知管理情報は、例えば図５［Ｊ］に示される未確認情報報知管理情報に更新され、未確認情報の種別が「不在着信」である未確認情報のうち、ショートカット機能よりも優先度が高い件数が「１０」件から「７」件に更新される。
【０２０５】
これにより、ユーザによりショートカット機能よりも優先度が高い未確認情報の確認がされた場合、ショートカット機能よりも優先度が高い未確認情報の件数などが管理されている未確認情報報知管理情報を更新することができる。従って、以降の表示制御処理において更新された未確認情報報知管理情報に基づいて、すでにユーザにより確認された未確認情報の報知をキャンセルすることができる。
【０２０６】
ステップＳ６５においてショートカット機能よりも優先度が高い未確認情報を指示するアイコンがフォーカスされてなかったと判定された場合、ステップＳ６６の処理はスキップされる。すなわち、ステップＳ６６における未確認情報報知管理情報の更新処理は行われない。
【０２０７】
その後、処理はステップＳ５２に戻り、ステップＳ５２において新たに更新された未確認情報報知管理情報が読み出され、ステップＳ５３以降の処理において、読み出された未確認情報報知管理情報に基づいて表示制御処理が繰り返し実行される。
【０２０８】
なお、例えば図１２の表示画面５８−ｂが表示されてメール送受信履歴機能が起動された場合、その後、ユーザにより操作キー１４が操作されることにより「戻る」が選択されると、ステップＳ５２乃至Ｓ５８の処理により液晶ディスプレイ１７には、表示画面５８−ｄが表示され、ショートカット機能よりも優先度が高い未確認情報を指示するアイコン５７がポップアップ表示される。これは、現在、ショートカット機能よりも優先度が高い未確認情報があり、そのうち、「不在着信」が「１０」件、「新着メール」が「３」件、および「伝言（簡易留守メモ）」が「３」件あることを示している。従って、ユーザは、表示画面５８−ｄ上に表示されるアイコン５７を見ることで、ショートカット機能よりも優先度が高い未確認情報があり、そのうち、「不在着信」が「１０」件、「新着メール」が「３」件、および「伝言（簡易留守メモ）」が「３」件あることを知ることができる。表示画面５８−ｄの高優先度未確認情報表示領域αには、ショートカット機能よりも優先度が高いアイコン５２−１のみが表示されており、ユーザにより２つの未確認情報のうちの１つの未確認情報が確認されたことを示している。
【０２０９】
また、例えば図１２の表示画面５８−ｃが表示されて発着信履歴機能が起動された場合、その後、ユーザにより操作キー１４が操作されることにより「戻る」が選択されると、ステップＳ５２乃至Ｓ５８の処理により液晶ディスプレイ１７には、表示画面５８−ｅが表示され、ショートカット機能よりも優先度が高い未確認情報を指示するアイコン５７がポップアップ表示される。これは、現在、ショートカット機能よりも優先度が高い未確認情報があり、そのうち、「不在着信」が「７」件、「新着メール」が「５」件、および「伝言（簡易留守メモ）」が「３」件あることを示している。従って、ユーザは、表示画面５８−ｅ上に表示されるアイコン５７を見ることで、ショートカット機能よりも優先度が高い未確認情報があり、そのうち、「不在着信」が「７」件、「新着メール」が「５」件、および「伝言（簡易留守メモ）」が「３」件あることを知ることができる。
【０２１０】
一方、ステップＳ６０においてショートカット機能よりも優先度が高い未確認情報を指示するアイコンがポップアップ表示されていないと判定された場合、主制御部３１はステップＳ６７で、記憶部４７に記憶されているショートカット機能の設定を読み出し、読み出されたショートカット機能の設定に基づいて、予め設定されたショートカット機能が存在するか否かを判定する。
【０２１１】
ステップＳ６７において予め設定されたショートカット機能が存在すると判定された場合、主制御部３１はステップＳ６８で、ＬＣＤ制御部３６を制御し、ショートカット機能表示領域に表示される、ショートカット機能を指示するアイコンを液晶ディスプレイ１７にフォーカスさせる。液晶ディスプレイ１７は、ＬＣＤ制御部３６の制御に従い、ショートカット機能表示領域に表示される、予め設定されたショートカット機能を指示するアイコンをフォーカスする。
【０２１２】
例えば図１１［Ｂ］に示されるように、表示画面５６−ｂは表示画面５６−ｅに遷移し、表示画面５６−ｅのショートカット機能表示領域βに表示される、予め設定されたショートカット機能を指示するアイコン５３−１がフォーカスされる。このとき、アイコン５３−１の近傍には、例えば「電卓」というメッセージが表示される。これにより、ユーザにフォーカスされているアイコン５３−１により指示されるショートカット機能が「電卓」であることを知らせることができる。
【０２１３】
一方、ステップＳ６７において予め設定されたショートカット機能が存在しないと判定された場合、主制御部３１はステップＳ６９で、読み出された未確認情報報知管理情報に基づいて、ショートカット機能よりも優先度が低い未確認情報があるか否かを判定する。
【０２１４】
ステップＳ６９においてショートカット機能よりも優先度が低い未確認情報があると判定された場合、主制御部３１はステップＳ７０で、ＬＣＤ制御部３６を制御し、低優先度未確認情報表示領域に表示される、ショートカット機能よりも優先度が低い未確認情報を指示するアイコンを液晶ディスプレイ１７にフォーカスさせる。液晶ディスプレイ１７は、ＬＣＤ制御部３６の制御に従い、低優先度未確認情報表示領域に表示される、ショートカット機能よりも優先度が低い未確認情報を指示するアイコンをフォーカスする。
【０２１５】
例えば図１１［Ｃ］に示されるように、表示画面５６−ｃは表示画面５６−ｆに遷移し、表示画面５６−ｆの低優先度未確認情報表示領域γに表示される、ショートカット機能よりも優先度が低い未確認情報を指示するアイコン５４−１がフォーカスされる。このとき、アイコン５４−１の近傍には、例えば「メールあり  ２件」というメッセージが表示される。
【０２１６】
なお、各アイコンの近傍に表示されるメーセージに関する詳細な説明については、基本的には、図７［Ａ］の表示画面５１−ｂを用いて説明した高優先度未確認情報表示領域αの場合と同様であり、その説明は繰り返しになるので省略する。
【０２１７】
ステップＳ６９においてショートカット機能よりも優先度が低い未確認情報があると判定された場合、処理はステップＳ５９に戻り、その後、ステップＳ５９以降の処理が繰り返される。
【０２１８】
ここで、ステップＳ７１以降の処理については、図１１［Ｂ］の表示画面の遷移図を用いて説明する。
【０２１９】
ステップＳ７１において、主制御部３１は、操作入力制御部３３を介して、ユーザにより操作キー１４のうちの例えば上下キーが押下されたか否かを判定する。ステップＳ７１においてユーザにより操作キー１４のうちの例えば上下キーが押下されたと判定された場合、主制御部３１はステップＳ７２で、ＬＣＤ制御部３６を制御し、液晶ディスプレイ１７に表示されるフォーカスの位置を移動させる。液晶ディスプレイ１７は、ＬＣＤ制御部３６の制御に従い、液晶ディスプレイ１７に表示されるフォーカスの位置を移動する。
【０２２０】
例えば図１１［Ｂ］の場合、表示画面５６−ｅは表示画面５６−ｇに遷移し、フォーカスの位置は、ショートカット機能表示領域βに表示されるアイコン５３−１から低優先度未確認情報表示領域γに表示されるアイコン５４−１に移動される。その後、表示画面５６−ｅまたは５６−ｇが表示されている際に、ユーザにより操作キー１４のうちの例えば上下キーが押下されると、表示画面は表示画面５６−ｅと５６−ｇとの間を遷移する。
【０２２１】
その後、処理はステップＳ７１に戻り、ステップＳ７１以降の処理が繰り返される。
【０２２２】
ステップＳ７１においてユーザにより操作キー１４のうちの例えば上下キーが押下されていないと判定された場合、主制御部３１はステップＳ７３で、操作入力制御部３３を介して、ユーザにより操作キー１４のうちの例えば左右キーが押下されたか否かを判定する。
【０２２３】
ステップＳ７３においてユーザにより操作キー１４のうちの例えば左右キーが押下されたと判定された場合、処理はステップＳ７２に進み、ステップＳ７２においてフォーカス位置の移動処理が実行される。
【０２２４】
例えば図１１［Ｂ］の場合、表示画面５６−ｅは表示画面５６−ｈに遷移し、フォーカスの位置は、ショートカット機能表示領域βに表示されるアイコン５３−１からアイコン５３−２に移動される。その後、表示画面５６−ｅまたは５６−ｈが表示されている際に、ユーザにより操作キー１４のうちの例えば左右キー（右キーまたは左キー）が押下されると、表示画面は表示画面５６−ｅと５６−ｈとの間を遷移する。
【０２２５】
ステップＳ７３においてユーザにより操作キー１４のうちの例えば左右キーが押下されていないと判定された場合、主制御部３１はステップＳ７４で、操作入力制御部３３を介して、ユーザにより操作キー１４のうちの例えば確定キーが押下されたか否かを判定する。
【０２２６】
ステップＳ７４においてユーザにより操作キー１４のうちの例えば確定キーが押下されていないと判定された場合、処理はステップＳ７１に戻り、ステップＳ７１以降の処理が繰り返される。
【０２２７】
ステップＳ７４においてユーザにより操作キー１４のうちの例えば確定キーが押下されたと判定された場合、処理はステップＳ６３に進み、ステップＳ６３において機能起動処理が実行される。
【０２２８】
例えば図１１［Ｂ］の場合、表示画面５６−ｇが表示されていて、かつ、低優先度未確認情報表示領域γに表示されているアイコン５４−１がフォーカスされている際に、ユーザにより例えば確定キーが押下されると、ユーザにより例えば確定キーが押下された際にフォーカスがされていたアイコン５７に予め対応付けられた機能（メール送受信履歴機能）が起動されて、表示画面５６−ｇは表示画面５６−ｉに遷移し、メール送受信履歴画面が表示される。その後、メール送受信履歴画面上においてメールの送受信に関する種々の処理が実行される。
【０２２９】
また、表示画面５６−ｈが表示されていて、かつ、ショートカット機能表示領域βに表示されているアイコン５３−２がフォーカスされている際に、ユーザにより例えば確定キーが押下されると、ユーザにより例えば確定キーが押下された際にフォーカスがされていたアイコン５３−２に予め対応付けられた機能（メモ帳機能）が起動されて、表示画面５６−ｈは表示画面５６−ｊに遷移し、メモ帳機能画面が表示される。その後、メモ帳機能画面上においてメモの入力処理や記録処理などが実行される。
【０２３０】
その後、処理はステップＳ５２に戻り、ステップＳ５２において新たに更新された未確認情報報知管理情報が読み出され、ステップＳ５３以降の処理において、読み出された未確認情報報知管理情報に基づいて表示制御処理が繰り返し実行される。
【０２３１】
なお、例えば図１２の表示画面５６−ｉが表示されてメール送受信履歴機能が起動された場合、その後、ユーザにより操作キー１４が操作されることにより「戻る」が選択されると、ステップＳ５２乃至Ｓ５８の処理により液晶ディスプレイ１７には、表示画面５６−ｋが表示される。表示画面５６−ｋの低優先度未確認情報表示領域γには、ショートカット機能よりも優先度が低いアイコン５４−２のみが表示されており、ユーザによってはまだ確認されていない１つの未確認情報（ショートカット機能よりも優先度が低い未確認情報）が存在することを示している。
【０２３２】
また、例えば図１２の表示画面５６−ｊが表示されてメモ帳機能が起動された場合、その後、ユーザにより操作キー１４が操作されることにより「戻る」が選択されると、ステップＳ５２乃至Ｓ５８の処理により液晶ディスプレイ１７には、表示画面５６−ｌが表示される。表示画面５６−ｌの低優先度未確認情報表示領域γには、ショートカット機能よりも優先度が低いアイコン５４−１乃至５４−２が表示されており、ユーザによってはまだ確認されていない２つの未確認情報（ショートカット機能よりも優先度が低い未確認情報）が存在することを示している。
【０２３３】
一方、ステップＳ５９においてユーザにより操作キー１４のうちの例えば上下キーが押下されていないと判定された場合、主制御部３４はステップＳ７５で、操作入力制御部３３を介して、例えばショートカット機能が割り当てられたキー（例えばsoftキーや所定の数字キーなど）が押下されたか否かを判定する。
【０２３４】
ステップＳ７５において例えばショートカット機能が割り当てられたキーが押下されたと判定された場合、主制御部３１はステップＳ７６で、読み出された未確認情報報知管理情報に基づいて、ショートカット機能よりも優先度が高い未確認情報があるか否かを判定する。
【０２３５】
例えば図５［Ｈ］の場合、ショートカット機能よりも優先度が高い未確認情報として、「不在着信」が「１０」件存在することから、ショートカット機能よりも優先度が高い未確認情報があると判定される。
【０２３６】
ステップＳ７６において例えばショートカット機能よりも優先度が高い未確認情報があると判定された場合、主制御部３１はステップＳ７７で、ユーザにより操作キー１４のうちの例えばショートカット機能が割り当てられたキー（例えばsoftキーや所定の数字キーなど）が押下されることで、ショートカット機能よりも優先度が高い未確認情報を指示するアイコンがポップアップ表示されているにもかかわらず、ショートカット機能の使用などの方がより優先されたと判断し、ショートカット機能よりも優先度が高く設定されている未確認情報の優先度を、ショートカット機能よりも低く設定する。
【０２３７】
ステップＳ７８において、主制御部３１は、読み出された未確認情報報知管理情報において管理されている未確認情報の件数を更新する。具体的には、例えば図５［Ｈ］に示される未確認情報報知管理情報は、図５［Ｋ］に示される未確認情報報知管理情報に更新され、未確認情報の種別が「不在着信」である未確認情報のうち、ショートカット機能よりも優先度が高い件数が「１０」件から「０」件に更新されるとともに、ショートカット機能よりも優先度が低い件数が「０」件から「１０」件に更新される。未確認情報の種別が「新着メール」である未確認情報のうち、ショートカット機能よりも優先度が高い件数が「５」件から「０」件に更新されるとともに、ショートカット機能よりも優先度が低い件数が「２」件から「７」件に更新される。未確認情報の種別が「伝言」である未確認情報のうち、ショートカット機能よりも優先度が高い件数が「３」件から「０」件に更新されるとともに、ショートカット機能よりも優先度が低い件数が「０」件から「３」件に更新される。
【０２３８】
ステップＳ７９において、主制御部３１は、ユーザにより押下されたキー（例えばsoftキーや所定の数字キーなど）に割り当てられたショートカット機能（例えば電卓機能など）を起動する。
【０２３９】
このとき、液晶ディスプレイ１７に表示される表示画面は、図１１［Ａ］の表示画面５６−ａから表示画面５６−ｍに遷移する。
【０２４０】
ステップＳ８０において、主制御部３１は、ユーザにより押下されたキー（例えばsoftキーや所定の数字キーなど）に割り当てられたショートカット機能（例えば電卓機能など）を終了する。
【０２４１】
その後、ステップＳ５２において新たに更新された未確認情報報知管理情報が読み出され、ステップＳ５３以降の処理において、読み出された未確認情報報知管理情報に基づいて表示制御処理が繰り返し実行される。
【０２４２】
なお、ユーザにより操作キー１４のうちの例えばショートカット機能が割り当てられたキー（例えばsoftキーや所定の数字キーなど）が押下されることで、いずれかのショートカット機能が起動された場合、その後、ユーザにより操作キー１４が操作されることにより「戻る」が選択されると、ステップＳ５２乃至Ｓ５８の処理により液晶ディスプレイ１７には、図１１［Ａ］に示されるように、表示画面５６−ｍから遷移し、表示画面５６−ｎが表示される。表示画面５６−ｎの低優先度未確認情報表示領域γには、未確認情報報知管理情報が更新されたことから、ショートカット機能よりも優先度が低いアイコン５４−１乃至５４−２の他に、さらにアイコン５４−３乃至５４−５が追加して表示されており、ユーザによってはまだ確認されていない少なくとも５つの未確認情報（ショートカット機能よりも優先度が低い未確認情報）が存在することを示している。
【０２４３】
なお、すでに上述したように、ショートカット機能よりも優先度が低い未確認情報が複数存在し、低優先度未確認情報表示領域γに一度に表示することができないような場合には、直近に記憶された未確認情報をまず表示して、ユーザにより操作キー１４が操作されることにより順次液晶ディスプレイ１７に対して左右方向にスライドさせて表示する。図１１［Ａ］の表示画面５６−ｎの場合、低優先度未確認情報表示領域γに実際に表示されるべきアイコンは２０個（１０＋７＋３＝２０）存在することになる。これにより、たとえ低優先度未確認情報表示領域γに一度に表示することができない数の未確認情報が存在したとしても、順次、ユーザに報知することができる。
【０２４４】
一方、ステップＳ７５において例えばショートカット機能が割り当てられたキーが押下されていないと判定された場合、処理は図１０のステップＳ８１に進み、主制御部３１はステップＳ８１で、操作入力制御部３３を介して、ユーザにより操作キー１４のうちの例えば確定キーが押下されたか否かを判定する。
【０２４５】
ステップＳ８１においてユーザにより操作キー１４のうちの例えば確定キーが押下されたと判定された場合、主制御部３１はステップＳ８２で、液晶ディスプレイ１７に表示される表示画面上に、ショートカット機能よりも優先度が高い未確認情報を指示するアイコンがポップアップ表示されているか否かを判定する。
【０２４６】
例えば図１１の表示画面５６−ａにおいては、ショートカット機能よりも優先度が高い未確認情報を指示するアイコン５７がフォーカスされていることから、液晶ディスプレイ１７に表示される表示画面上において、ショートカット機能よりも優先度が高い未確認情報を指示するアイコンがフォーカスされていると判定される。
【０２４７】
ステップＳ８２においてショートカット機能よりも優先度が高い未確認情報を指示するアイコンがポップアップ表示されていないと判定された場合、主制御部３１は、ユーザにより押下された操作キー１４のうちの例えば確定キーが押下された操作を無効とし、その後、処理はステップＳ５９に戻り、ステップＳ５９に以降の処理が繰り返される。
【０２４８】
ステップＳ８２においてショートカット機能よりも優先度が高い未確認情報を指示するアイコンがポップアップ表示されていると判定された場合、主制御部３１はステップＳ８３で、ユーザにより例えば確定キーが押下された際にフォーカスがされていたアイコン（またはアイコンの一部の領域）に予め対応付けられた機能（例えばメール送受信履歴機能や発着信履歴機能、電卓機能など）を起動する。
【０２４９】
例えば図１２に示されるように、表示画面５６−ａが表示されていて、かつ、ポップアップ表示されているアイコン５７の「着信あり  １０件」の領域がフォーカスされている際に、ユーザにより例えば確定キーが押下されると、ユーザにより例えば確定キーが押下された際にフォーカスがされていたアイコン５７の「着信あり  １０件」の領域に予め対応付けられた機能（発着信履歴機能）が起動されて、表示画面５６−ａは表示画面５８−ｃに遷移し、発着信履歴画面が表示される。その後、発着信履歴画面上において発着信に関する種々の処理が実行される。
【０２５０】
具体的には、表示画面５８−ｃの発着信履歴画面を用いて、例えば１０件の不在着信のうちの所望の３件の不在着信の内容が表示されて、ユーザにより、この３件の不在着信が確認される。
【０２５１】
ステップＳ８４において、主制御部３１は、ユーザにより例えば確定キーが押下された際にフォーカスがされていたアイコン（の一部の領域）に予め対応付けられた機能（例えばメール送受信履歴機能や発着信履歴機能など）を終了する。
【０２５２】
ステップＳ８５において、主制御部３１は、ユーザにより操作キー１４のうちの例えば確定キーが押下されることで、表示画面上においてフォーカスされているショートカット機能よりも優先度が高い未確認情報の確認が指示されたと判断し、読み出された未確認情報報知管理情報において管理されている未確認情報の件数を更新する。
【０２５３】
具体的には、表示画面５６−ａが表示されていて、かつ、ポップアップ表示されているアイコン５７の「着信なり  １０件」の領域がフォーカスされている際に、ユーザにより例えば確定キーが押下された場合、図５［Ｈ］に示される未確認情報報知管理情報は、例えば図５［Ｊ］に示される未確認情報報知管理情報に更新され、未確認情報の種別が「不在着信」である未確認情報のうち、ショートカット機能よりも優先度が高い件数が「１０」件から「７」件に更新される。
【０２５４】
これにより、ユーザによりショートカット機能よりも優先度が高い未確認情報の確認がされた場合、ショートカット機能よりも優先度が高い未確認情報の件数などが管理されている未確認情報報知管理情報を更新することができる。従って、以降の表示制御処理において更新された未確認情報報知管理情報に基づいて、すでにユーザにより確認された未確認情報の報知をキャンセルすることができる。
【０２５５】
その後、処理はステップＳ５２に進み、ステップＳ５２において新たに更新された未確認情報報知管理情報が読み出され、ステップＳ５３以降の処理において、読み出された未確認情報報知管理情報に基づいて表示制御処理が繰り返し実行される。
【０２５６】
一方、ステップＳ８１においてユーザにより操作キー１４のうちの例えば確定キーが押下されていないと判定された場合、主制御部３１はステップＳ８６で、操作入力制御部３３を介して、ユーザにより操作キー１４のうちの例えば終話キー（終話・電源キー）が押下されたか否かを判定する。
【０２５７】
ステップＳ８６においてユーザにより操作キー１４のうちの例えば終話キー（終話・電源キー）が押下されたと判定された場合、主制御部３１はステップＳ８７で、液晶ディスプレイ１７に表示される表示画面上に、ショートカット機能よりも優先度が高い未確認情報を指示するアイコンがポップアップ表示されているか否かを判定する。
【０２５８】
例えば図１１の表示画面５６−ａにおいては、ショートカット機能よりも優先度が高い未確認情報を指示するアイコン５７がフォーカスされていることから、液晶ディスプレイ１７に表示される表示画面上において、ショートカット機能よりも優先度が高い未確認情報を指示するアイコンがフォーカスされていると判定される。
【０２５９】
ステップＳ８７においてショートカット機能よりも優先度が高い未確認情報を指示するアイコンがポップアップ表示されていないと判定された場合、主制御部３１は、ユーザにより押下された操作キー１４のうちの例えば確定キーが押下された操作を無効とし、その後、処理はステップＳ５９に戻り、ステップＳ５９に以降の処理が繰り返される。
【０２６０】
ステップＳ８７においてショートカット機能よりも優先度が高い未確認情報を指示するアイコンがポップアップ表示されていると判定された場合、主制御部３１はステップＳ８８で、ユーザにより操作キー１４のうちの例えば終話キーが押下されることで、ショートカット機能よりも優先度が高い未確認情報を指示するアイコンがポップアップ表示されているにもかかわらず、ショートカット機能の使用などの方がより優先されたと判断し、ショートカット機能よりも優先度が高く設定されている未確認情報の優先度を、ショートカット機能よりも低く設定する。
【０２６１】
ステップＳ８９において、主制御部３１は、読み出された未確認情報報知管理情報において管理されている未確認情報の件数を更新する。具体的には、例えば図５［Ｈ］に示される未確認情報報知管理情報は、図５［Ｋ］に示される未確認情報報知管理情報に更新され、未確認情報の種別が「不在着信」である未確認情報のうち、ショートカット機能よりも優先度が高い件数が「１０」件から「０」件に更新されるとともに、ショートカット機能よりも優先度が低い件数が「０」件から「１０」件に更新される。未確認情報の種別が「新着メール」である未確認情報のうち、ショートカット機能よりも優先度が高い件数が「５」件から「０」件に更新されるとともに、ショートカット機能よりも優先度が低い件数が「２」件から「７」件に更新される。未確認情報の種別が「伝言」である未確認情報のうち、ショートカット機能よりも優先度が高い件数が「３」件から「０」件に更新されるとともに、ショートカット機能よりも優先度が低い件数が「０」件から「３」件に更新される。
【０２６２】
ステップＳ９０において、主制御部３１は、ＬＣＤ制御部３６を制御し、液晶ディスプレイ１７に表示されている表示画面のポップアップ表示（ショートカット機能よりも優先度が高い未確認情報を指示するアイコンのポップアップ表示）を液晶ディスプレイ１７に消去させる。液晶ディスプレイ１７は、ＬＣＤ制御部３６の制御に従い、液晶ディスプレイ１７に表示されている表示画面のポップアップ表示（ショートカット機能よりも優先度が高い未確認情報を指示するアイコンのポップアップ表示）を消去する。
【０２６３】
例えば図１２の場合、表示画面５６−ａは表示画面５８−ｆに遷移し、表示画面５６−ａに表示されていたポップアップ表示（ショートカット機能よりも優先度が高い未確認情報を指示するアイコンのポップアップ表示）は消去され、表示画面５８−ｆにおいては表示されない。
【０２６４】
ステップＳ９１において、主制御部３１は、ＬＣＤ制御部３６を制御し、液晶ディスプレイ１７の低優先度未確認情報表示領域に表示される、ショートカット機能よりも優先度が低く設定されているアイコンの表示を更新させる。液晶ディスプレイ１７は、ＬＣＤ制御部の制御に従い、液晶ディスプレイ１７の低優先度未確認情報表示領域に表示される、ショートカット機能よりも優先度が低く設定されているアイコンの表示を更新する。
【０２６５】
例えば図１２の場合、表示画面５６−ａは表示画面５６−ｆに遷移し、表示画面５６−ｆにおいては、表示画面５６−ａにおいてポップアップ表示されていたアイコン５７に対応する少なくともアイコン５４−３乃至５４−５の３つが低優先度未確認情報γに追加されて表示される。これにより、ユーザは、操作キー１４のうちの例えば終話キーを押下したことで、ショートカット機能よりも優先度が高く設定されている未確認情報の優先度がショートカット機能よりも低く設定され、ショートカット機能よりも優先度が低く設定されている未確認情報が少なくとも５件になったことを知ることができる。
【０２６６】
なお、すでに上述したように、ショートカット機能よりも優先度が低い未確認情報が複数存在し、低優先度未確認情報表示領域γに一度に表示することができないような場合には、直近に記憶された未確認情報をまず表示して、ユーザにより操作キー１４が操作されることにより順次液晶ディスプレイ１７に対して左右方向にスライドさせて表示する。図１２の表示画面５８−ｆの場合、低優先度未確認情報表示領域γに実際に表示されるべきアイコンは２０個（１０＋７＋３＝２０）存在することになる。これにより、たとえ低優先度未確認情報表示領域γに一度に表示することができない数の未確認情報が存在したとしても、順次、ユーザに報知することができる。
【０２６７】
その後、処理はステップＳ５２に進み、ステップＳ５２において新たに更新された未確認情報報知管理情報が読み出され、ステップＳ５３以降の処理において、読み出された未確認情報報知管理情報に基づいて表示制御処理が繰り返し実行される。
【０２６８】
なお、図１２の場合、表示画面５８−ｆは、図９および図１０の表示制御処理がさらに実行されることにより、表示画面５８−ｇ乃至６５８−ｒに遷移するが、この遷移の説明については図１１［Ｂ］に示される表示画面５６−ｅ乃至５６−ｌの遷移の説明と基本的には同様であり、その説明は繰り返しになるので省略する。
【０２６９】
本発明の実施形態においては、待ち受け画面を表示する際に、ショートカット機能表示領域および低優先度未確認情報表示領域を設け、表示画面（待ち受け画面）上のショートカット機能表示領域に予め設定されたショートカット機能を指示するアイコンを表示し、表示画面（待ち受け画面）上の低優先度未確認情報表示領域にショートカット機能よりも優先度が低い未確認情報を指示するアイコンを表示するとともに、表示画面（待ち受け画面）上にショートカット機能よりも優先度が高い未確認情報を指示するアイコンをポップアップ表示することができる。
【０２７０】
そして、ショートカット機能よりも優先度が高い未確認情報を指示するアイコンがポップアップ表示されている際に、ユーザにより操作キー１４のうちの例えば終話キーが押下されることで、ショートカット機能よりも優先度が高い未確認情報を指示するアイコンがポップアップ表示されているにもかかわらず、ショートカット機能の使用などの方がより優先されたと判断し、ショートカット機能よりも優先度が高く設定されている未確認情報の優先度を、ショートカット機能よりも低く設定することができるとともに、表示されていたポップアップ表示を消去することができる。また、ショートカット機能よりも優先度が高い未確認情報を指示するアイコンがポップアップ表示されている際に、ユーザにより操作キー１４のうちの例えばショートカット機能が割り当てられたキー（例えばsoftキーや所定の数字キーなど）が押下されることで、ショートカット機能よりも優先度が高い未確認情報を指示するアイコンがポップアップ表示されているにもかかわらず、ショートカット機能の使用などの方がより優先されたと判断し、ショートカット機能よりも優先度が高く設定されている未確認情報の優先度を、ショートカット機能よりも低く設定することができる。
【０２７１】
また、設定された優先度に基づいて、記憶部４７に記憶されている未確認情報報知管理情報を更新することができる。さらに、ポップアップ表示されている、ショートカット機能よりも優先度が高い未確認情報を指示するアイコンの一部の領域がフォーカスされている際に、ユーザにより操作キー１４のうちの例えば確定キーが押下されることで、表示画面上においてフォーカスされているショートカット機能よりも優先度が高い未確認情報の確認が指示されたと判断し、読み出された未確認情報報知管理情報において管理されている未確認情報の件数を更新することができる。
【０２７２】
これにより、液晶ディスプレイ１７に表示される表示画面の高優先度未確認情報表示領域と低高優先度未確認情報表示領域のアイコンの表示を更新することができるとともに、表示画面（待ち受け画面）上にショートカット機能よりも優先度が高い未確認情報を指示するアイコンがポップアップ表示されている場合であっても、ショートカット機能表示領域、および、低優先度未確認情報表示領域）に表示されているアイコンに適宜フォーカスを移動することができる。
【０２７３】
従って、ユーザは、ショートカット機能よりも優先度が高い未確認情報があるために、表示画面（待ち受け画面）上にショートカット機能よりも優先度が高い未確認情報を指示するアイコンがポップアップ表示されている場合であっても、ショートカット機能よりも優先度が高い未確認情報を確認することなく、直ちに、所望のショートカット機能などを起動させることができる。
【０２７４】
その結果、携帯電話機１の操作性を向上させることができる。
【０２７５】
ところで、例えば図６または図９および図１０のフローチャートを参照して説明した表示制御処理が、ユーザにより携帯電話機１が操作されることにより、例えば携帯電話機１が閉じられた状態から開けられた状態になされた後、開始された場合に、ショートカット機能よりも優先度が高い未確認情報を指示するアイコンが高優先度未確認情報表示領域に表示されたり、ポップアップ表示されたりしたにもかかわらず、その後に、ユーザにより携帯電話機１が操作されることにより、例えば携帯電話機１が開けられた状態から閉じられた状態になされたとき、これらのショートカット機能よりも優先度が高い未確認情報の確認が無視されたと判断し、これらの未確認情報の優先度をショートカット機能よりも低く設定するようにしてもよい。以下、この方法を用いた携帯電話機における表示制御処理について説明する。
【０２７６】
なお、説明を簡略化するために、図６のフローチャートを用いた表示制御処理の場合にこの方法を適用した表示制御処理についてのみ説明するが、図９および図１０のフローチャートを用いた表示制御処理の場合にこの方法を適用した表示制御処理についても基本的には同様である。
【０２７７】
図１３および図１４のフローチャートを参照して、図３の携帯電話機１における表示制御処理について説明する。なお、図１３および図１４のステップ１０１乃至Ｓ１３４の処理は、図６のステップＳ１１乃至Ｓ４４の処理と同様であり、その説明は繰り返しになるので省略する。
【０２７８】
ステップＳ１２９においてユーザにより操作キー１４のうちの例えばショートカット機能が割り当てられたキーが押下されたと判定された場合、主制御部３１はステップＳ１３５で、携帯電話機１の所定の位置に内蔵された磁気センサ１９ａ乃至１９ｄからの検知信号に基づいて、携帯電話機１の状態が閉じられた状態になったか否かを判定する。
【０２７９】
ステップＳ１３５において携帯電話機１の状態が閉じられた状態になったと判定された場合、主制御部３１はステップＳ１３６で、読み出された未確認情報報知管理情報に基づいて、ショートカット機能よりも優先度が高い未確認情報があるか否かを判定する。
【０２８０】
ステップＳ１３６において例えばショートカット機能よりも優先度が高い未確認情報があると判定された場合、主制御部３１はステップＳ１３７で、ショートカット機能よりも優先度が高い未確認情報を指示するアイコンが高優先度未確認情報表示領域に表示されているにもかかわらず、これらのショートカット機能よりも優先度が高い未確認情報の確認が無視されたと判断し、ショートカット機能よりも優先度が高く設定されている未確認情報の優先度を、ショートカット機能よりも低く設定する。
【０２８１】
ステップＳ１３８において、主制御部３１は、読み出された未確認情報報知管理情報において管理されている未確認情報の件数を更新する。具体的には、例えば図５［Ｅ］に示される未確認情報報知管理情報は、図５［Ｆ］に示される未確認情報報知管理情報に更新され、未確認情報の種別が「不在着信」である未確認情報のうち、ショートカット機能よりも優先度が高い件数が「２」件から「０」件に更新されるとともに、ショートカット機能よりも優先度が低い件数が「０」件から「２」件に更新される。
【０２８２】
ステップＳ１３６において例えばショートカット機能よりも優先度が高い未確認情報はないと判定された場合、ステップＳ１３７乃至Ｓ１３８の処理はスキップされ、未確認情報報知管理情報の更新処理は行われない。
【０２８３】
一方、ステップＳ１３５において携帯電話機１が閉じられた状態になってはないと判定された場合（すなわち、携帯電話機１が開けられたいずれかの状態であると判定された場合）、処理はステップＳ１０９に戻り、ステップＳ１０９以降の処理が繰り返される。
【０２８４】
これにより、例えばショートカット機能よりも優先度が高い未確認情報を指示するアイコンが高優先度未確認情報表示領域に表示されたり、ポップアップ表示されたりした場合に、ユーザにより携帯電話機１が開けられた状態から閉じられた状態になされると、ショートカット機能よりも優先度が高く設定されている未確認情報の優先度をショートカット機能よりも低く設定することができ、未確認情報報知管理情報を更新することができる。また、液晶ディスプレイ１７に表示される表示画面の高優先度未確認情報表示領域と低高優先度未確認情報表示領域のアイコンの表示を直ちに更新することができる。
【０２８５】
従って、ユーザは、これらの未確認情報を確認する必要がない、あるいは、後日確認しようと考えたとき、ただ単に携帯電話機１を開けられた状態から閉じられた状態に変更するだけで、ショートカット機能よりも優先度が高く設定されている未確認情報の優先度をショートカット機能よりも低く設定させることができ、未確認情報報知管理情報を更新させることができ、液晶ディスプレイ１７に表示される表示画面の高優先度未確認情報表示領域と低高優先度未確認情報表示領域のアイコンの表示を直ちに更新させることができる。
【０２８６】
その結果、携帯電話機１における操作性をより向上させることができる。
【０２８７】
なお、図４のフローチャートを参照して説明した未確認情報報知管理情報更新処理においては、例えばユーザの不在時に着信があった場合に着信に対して通話が行われずに、その着信が切断された場合や、新たなメールの受信動作が完了した際に、ユーザによりそのメール内容の表示が指示されなかった場合などに、未確認情報を生成し、生成された未確認情報の優先度をすべてショートカット機能よりも高く設定し、設定された優先度に基づいて、未確認情報報知管理情報（未確認情報の報知を管理する情報）を更新するようにしたが、このような場合に限られず、例えばユーザが携帯電話機１を操作している最中にこのような新たな未確認情報が生成された場合において、ユーザにより新たな未確認情報の優先度をショートカット機能よりも低く設定するとの指示がなされると、新たな未確認情報の優先度をショートカット機能よりも低く設定し、未確認情報報知管理情報を更新するようにしてもよい。
【０２８８】
図１５のフローチャートを参照して、携帯電話機１における他の未確認情報報知管理情報更新処理について説明する。なお、図１５のステップＳ１４４、Ｓ１４５、Ｓ１４８、Ｓ１４９、およびＳ１５０の処理は図４のステップＳ１乃至Ｓ５の処理と同様であり、その説明は繰り返しになるので適宜省略する。
【０２８９】
ステップＳ１４１において、主制御部３１は、ＬＣＤ制御部３６を制御し、ユーザにより予め設定された待ち受け画面（ユーザにより予め設定されていない場合には、デフォルトの待ち受け画面）を液晶ディスプレイ１７に表示させる。液晶ディスプレイ１７は、ＬＣＤ制御部３６を制御し、ユーザにより予め設定された待ち受け画面を表示する。
【０２９０】
ステップＳ１４２において、主制御部３１は、変復調回路部３９、送受信回路部４３、およびアンテナ４４を介して、他の携帯電話機１などから着信があったか否かを判定する。
【０２９１】
ステップＳ１４２において他の携帯電話機１などから着信があったと判定された場合、主制御部３１はステップＳ１４３で、ＬＣＤ制御部３６を制御し、着信画面を液晶ディスプレイ１７に表示させる。液晶ディスプレイ１７は、ＬＣＤ制御部３６の制御に従い、着信画面を表示する。
【０２９２】
ステップＳ１４６において、主制御部３１は、操作入力制御部３３を介して、ユーザにより操作キー１４のうちの例えばsoftキー（例えばsoft１キーやsoft２キーなど）が押下されることで、新たな未確認情報の優先度をショートカット機能よりも低く設定するとの指示が受け付けられたか否かを判定する。
【０２９３】
ステップＳ１４６において新たな未確認情報の優先度をショートカット機能よりも低く設定するとの指示が受け付けられたと判定された場合、主制御部３１はステップＳ１４７で、生成された新たな未確認情報の優先度を、予め設定されたショートカット機能よりも低く設定する。
【０２９４】
一方、ステップＳ１４６において新たな未確認情報の優先度をショートカット機能よりも低く設定するとの指示が受け付けられたと判定された場合、主制御部３１はステップＳ１４７で、生成された新たな未確認情報の優先度を、予め設定されたショートカット機能よりも高く設定する。
【０２９５】
その後、ステップＳ１４９に進み、ステップＳ１５０において記憶部４７に記憶されている未確認情報報知管理情報が更新される。
【０２９６】
ステップＳ１５１において、主制御部３１は、操作入力制御部３３を介して、ユーザにより操作キー１４のうちの例えば終話キー（終話・電源キー）が押下されることで、他の携帯電話機１などから着信が切断されたか否かを判定し、他の携帯電話機１などから着信が切断されたと判定するまで待機する。
【０２９７】
ステップＳ１５１において他の携帯電話機１などから着信が切断されたと判定された場合、未確認情報報知管理情報は終了する。
【０２９８】
これにより、例えばユーザが携帯電話機１を操作している最中にこのような新たな未確認情報が生成された場合において、ユーザにより新たな未確認情報の優先度をショートカット機能よりも低く設定するとの指示がなされると、新たな未確認情報の優先度をショートカット機能よりも低く設定し、未確認情報報知管理情報を更新することができる。従って、図６または図９および図１０のフローチャートを参照して説明した表示制御処理を実行するまでもなく、ユーザの好みに応じて、直接的に、かつ、簡単に新たな未確認情報の優先度をショートカット機能よりも低く設定することができる。その結果、携帯電話機１における操作性をより向上させることができる。
【０２９９】
なお、図１５のフローチャートを参照して説明した未確認情報報知管理情報更新処理においては、新たな着信があった場合について説明したが、新たなメールを受信した場合においては、図１６の未確認情報報知管理情報更新処理が実行される。図１６のステップＳ１６１乃至Ｓ１７０の処理は図１５のステップＳ１４１乃至Ｓ１５０の処理と基本的には同様であり、その説明は繰り返しになるので省略する。
【０３００】
ところで、例えばすでにユーザにより確認された確認情報（例えば着信やメールなど）を、ユーザの好みに応じて、未確認情報に追加するようにしてもよい。以下、この方法を用いた未確認情報追加処理について説明する。
【０３０１】
図１７のフローチャートを参照して、図３の携帯電話機１における未確認情報追加処理について説明する。この未確認情報追加処理は、着信履歴画面が液晶ディスプレイ１７に表示されたときから開始される。
【０３０２】
ステップＳ１８１において、主制御部３１は、ＬＣＤ制御部３１を制御し、着信履歴画面を液晶ディスプレイ１７に表示させる。液晶ディスプレイ１７は、ＬＣＤ制御部３６の制御に従い、着信履歴画面を表示する。
【０３０３】
ステップＳ１８２において、主制御部３１は、操作入力制御部３３を介して、ユーザにより操作キー１４のうちの例えば上下キー（上キーまたは下キー）が押下されたか否かを判定する。
【０３０４】
ステップＳ１８２においてユーザにより操作キー１４のうちの例えば上下キー（上キーまたは下キー）が押下されたと判定された場合、主制御部３１はステップＳ１８３で、ＬＣＤ制御部３６を制御し、液晶ディスプレイ１７に表示されるフォーカスの位置を移動させる。液晶ディスプレイ１７は、ＬＣＤ制御部３６の制御に従い、液晶ディスプレイ１７に表示されるフォーカスの位置を移動する。これにより、ユーザが所望する着信内容を表示させることができる。
【０３０５】
その後、処理はステップＳ１８１に進み、ステップＳ１８１以降の処理が繰り返し行われる。
【０３０６】
ステップＳ１８２においてユーザにより操作キー１４のうちの例えば上下キー（上キーまたは下キー）が押下されていないと判定された場合、主制御部３１はステップＳ１８４で、操作入力制御部３３を介して、ユーザにより操作キー１４のうちの例えばsoftキー（soft１キーやsoft２キーなど）が押下されることで、現在フォーカスされている着信を、未確認情報に追加するとの指示が受け付けられたか否かを判定する。
【０３０７】
ステップＳ１８４において現在フォーカスされている着信を、未確認情報に追加するとの指示が受け付けられたと判定された場合、主制御部３１はステップＳ１８５で、追加するとの指示が受け付けられた未確認情報の優先度をショートカット機能よりも低く設定する。
【０３０８】
ステップＳ１８６において、主制御部３１は、主制御部３１は、記憶部４７に記憶されている未確認情報報知管理情報（未確認情報の報知を管理するための情報）を読み出す。
【０３０９】
例えば図５［Ｇ］に示されるような未確認情報報知管理情報が読み出される。
【０３１０】
ステップＳ１８７において、主制御部３１は、追加された未確認情報の優先度（すなわち、ショートカット機能よりも低く設定された優先度）に基づいて、未確認情報報知管理情報を更新する。
【０３１１】
例えば図５［Ｇ］に示される未確認情報報知管理情報は、図５［Ｌ］に示される未確認情報報知管理情報に更新される。すなわち、未確認情報の種別が「不在着信」である未確認情報のうち、ショートカット機能よりも優先度が低い未確認情報の件数が「０」件から「１」件に更新される。
【０３１２】
これにより、その後の図６または図９および図１０のフローチャートを参照して説明した表示制御処理において、更新された未確認情報報知管理情報に基づいて未確認情報のユーザへの報知が行われ、低優先度未確認情報表示領域にさらに追加されてアイコンが表示される。従って、ユーザは、たとえすでに確認した確認情報（例えば着信やメールなど）であっても、例えば返信などを忘れないように、必要に応じて確認することができる。その結果、携帯電話機１における操作性をより向上させることができる。
【０３１３】
ステップＳ１８４において現在フォーカスされている着信を、未確認情報に追加するとの指示が受け付けられていないと判定された場合、主制御部３１はステップＳ１８８で、操作入力制御部３３を介して、ユーザにより操作キー１４のうちの例えば終話キーが押下されたか否かを判定する。
【０３１４】
ステップＳ１８８においてユーザにより操作キー１４のうちの例えば終話キーが押下されていないと判定された場合、処理はステップＳ１８２に戻り、ステップＳ１８２以降の処理が繰り返される。
【０３１５】
ステップＳ１８８においてユーザにより操作キー１４のうちの例えば終話キーが押下されたと判定された場合、主制御部３１はステップＳ１８９で、ＬＣＤ制御部３６を制御し、液晶ディスプレイ１７に表示されている着信履歴画面の表示を終了させる。液晶ディスプレイ１７は、ＬＣＤ制御部３６の制御に従い、着信履歴画面の表示を終了する。
【０３１６】
ステップＳ１９０において、主制御部３１は、ＬＣＤ制御部３６を制御し、主制御部３１は、ＬＣＤ制御部３６を制御し、ユーザにより予め設定された待ち受け画面（ユーザにより予め設定されていない場合には、デフォルトの待ち受け画面）を液晶ディスプレイ１７に表示させる。液晶ディスプレイ１７は、ＬＣＤ制御部３６を制御し、ユーザにより予め設定された待ち受け画面を表示する。
【０３１７】
その後、未確認情報追加処理は終了する。
【０３１８】
なお、図１７のフローチャートを参照して説明した未確認情報追加処理においては、すでにユーザにより確認された着信を未確認情報として追加する場合について説明したが、すでにユーザにより確認されたメールを未確認情報として追加する場合には、図１８の未確認情報追加処理が実行される。図１８のステップＳ１８１乃至Ｓ１９０の処理は図１５のステップＳ１９１乃至Ｓ２００の処理と基本的には同様であり、その説明は繰り返しになるので省略する。
【０３１９】
なお、本発明の実施形態において用いられたアイコン（ショートカット機能よりも優先度が高い未確認情報を指示するアイコンなど）を「指示情報」と定義する。
【０３２０】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の情報処理装置にも適用することができる。
【０３２１】
また、本発明の実施形態において説明した一連の処理は、ソフトウェアにより実行させることもできるが、ハードウェアにより実行させることもできる。
【０３２２】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０３２３】
【図１】本発明に係る情報処理装置に適用可能な携帯電話機の外観の構成を示す外観図。
【図２】本発明に係る情報処理装置に適用可能な携帯電話機の他の外観の構成を示す外観図。
【図３】本発明に係る情報処理装置に適用可能な携帯電話機の内部の構成を示すブロック図。
【図４】図３の携帯電話機における未確認情報報知管理情報更新処理を説明するフローチャート。
【図５】図３の記憶部に記憶されている未確認情報報知管理情報のデータ構成を示す図。
【図６】図３の携帯電話機１における表示制御処理を説明するフローチャート。
【図７】図３の液晶ディスプレイに表示される表示画面の遷移図。
【図８】図３の液晶ディスプレイに表示される表示画面の遷移図。
【図９】図３の携帯電話機１における他の表示制御処理を説明するフローチャート。
【図１０】図３の携帯電話機１における他の表示制御処理を説明するフローチャート。
【図１１】図３の液晶ディスプレイに表示される表示画面の遷移図。
【図１２】図３の液晶ディスプレイに表示される表示画面の遷移図。
【図１３】図３の携帯電話機１における他の表示制御処理を説明するフローチャート。
【図１４】図３の携帯電話機１における他の表示制御処理を説明するフローチャート。
【図１５】図３の携帯電話機における他の未確認情報報知管理情報更新処理を説明するフローチャート。
【図１６】図３の携帯電話機における他の未確認情報報知管理情報更新処理を説明するフローチャート。
【図１７】図３の携帯電話機における未確認情報追加処理を説明するフローチャート。
【図１８】図３の携帯電話機における他の未確認情報追加処理を説明するフローチャート。
【符号の説明】
【０３２４】
１…携帯電話機、１１…ヒンジ、１２…第１の筐体、１３…第２の筐体、１４…操作キー、１５…マイクロフォン、１６…サイドキー、１７…液晶ディスプレイ、１８…スピーカ、１９a乃至１９d…磁気センサ、２０（２０−１および２０−２）…ＬＥＤ、２１…ＣＣＤカメラ、２２…サブディスプレイ、２３…静電タッチパッド、３１…主制御部、３２…電源回路部、３３…操作入力制御部、３４…画像エンコーダ、３５…カメラI/F部、３６…ＬＣＤ制御部、３７…画像デコーダ、３８…多重分離部、３９…変復調回路部、４０…音声コーデック、４１…メインバス、４２…同期バス、４３…送受信回路部、４４…アンテナ、４５…記録再生部、４６…メモリカード、４７…記憶部、４８…音楽制御部。
【図１】
2008146326.tif 000003
【図２】
2008146326.tif 000004
【図３】
2008146326.tif 000005
【図４】
2008146326.tif 000006
【図５】
2008146326.tif 000007
【図６】
2008146326.tif 000008
【図７】
2008146326.tif 000009
【図８】
2008146326.tif 000010
【図９】
2008146326.tif 000011
【図１０】
2008146326.tif 000012
【図１１】
2008146326.tif 000013
【図１２】
2008146326.tif 000014
【図１３】
2008146326.tif 000015
【図１４】
2008146326.tif 000016
【図１５】
2008146326.tif 000017
【図１６】
2008146326.tif 000018
【図１７】
2008146326.tif 000019
【図１８】
2008146326.tif 000020